(57)【特許請求の範囲】
【請求項１】
プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するステップであって、
前記LTFトーン値は、第1のサイズの帯域幅の少なくとも一部分をカバーし、
前記LTFトーン値の各々は、様々なサブキャリアについて1回または複数回繰り返される、ステップと、
前記第1のサイズの帯域幅につき前記LTFシーケンスのトーンの位相を回転させるステップと、
前記LTFシーケンスの複数のトーンの位相を選択的に回転させるステップであって、前記複数のトーンは第2のサイズの帯域幅の一部分に属する、ステップと、
パイロット位置における前記LTFシーケンスのトーンを値の所定のストリームに置き換えるステップと、
送信のためのプリアンブルを作成するステップであって、前記プリアンブルは前記LTFシーケンス内に前記回転されたトーンの位相および前記値の所定のストリームに置き換えられたトーンを含む、ステップと
を含む、ワイヤレス通信のための方法。
【請求項２】
第2のサイズの帯域幅を利用することによって、ワイヤレスチャネルにより前記プリアンブル内の前記LTFシーケンスを送信するステップ
をさらに含む、請求項1に記載の方法。
【請求項３】
前記第2のサイズの前記帯域幅は80MHz帯域を含む、請求項2に記載の方法。
【請求項４】
前記LTFシーケンスを構築するステップは、
送信チャネルの帯域幅に応じて前記LTFシーケンス内に前記複数の補間シーケンスを選択的に挿入するステップ
を含む、請求項1に記載の方法。
【請求項５】
前記第1のサイズの前記帯域幅は、20MHz帯域または40MHz帯域のうちの少なくとも1つを含む、請求項1に記載の方法。
【請求項６】
前記LTFシーケンスを送信する前にオーバーサンプリングを実行するステップ
をさらに含む、請求項1に記載の方法。
【請求項７】
前記LTFシーケンスは、DCサブキャリアの近くのサブキャリアにおける最大3つのゼロトーン値を含む、請求項1に記載の方法。
【請求項８】
1つまたは複数の値で非パイロット位置における前記LTFシーケンスのトーンを乗算するステップと、
1つまたは複数の他の値で前記パイロット位置における前記LTFシーケンスのトーンを乗算するステップと
をさらに含み、
前記1つまたは複数の値および前記1つまたは複数の他の値は、最大のピーク対平均電力比(PAPR)を低減するように決定される、請求項1に記載の方法。
【請求項９】
前記LTFシーケンスの前記送信に関連する帯域幅の異なる部分に異なるヌルトーン値を利用するステップであって、帯域幅の前記部分の各々は40MHz帯域を含む、ステップをさらに含む、請求項1に記載の方法。
【請求項１０】
1つまたは複数の位相回転パターンを使用して、前記プリアンブルのレガシー部の中のレガシーロングトレーニングフィールド(L-LTF)またはレガシーショートトレーニングフィールド(L-STF)のうちの少なくとも1つのトーンの位相を修正するステップをさらに含み、
プリアンブルの前記レガシー部は、従前、現在および将来のワイヤレス通信規格に従って通信する装置によって認識可能な前記プリアンブルの一部分を含む、請求項1に記載の方法。
【請求項１１】
1つまたは複数の位相回転パターンを使用して、前記プリアンブルのレガシー部のトーンの位相を修正するステップをさらに含み、
プリアンブルの前記レガシー部は、レガシーショートトレーニングフィールド(L-STF)、レガシーロングトレーニングフィールド(L-LTF)、レガシー信号(L-SIG)フィールド、または超高スループット信号フィールドタイプA(VHT-SIG-A)のうちの少なくとも1つを含み、
プリアンブルの前記レガシー部は、従前、現在および将来のワイヤレス通信規格に従って通信する装置によって認識可能な前記プリアンブルの一部分を含む、請求項1に記載の方法。
【請求項１２】
プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するように構成された第1の回路であって、
前記LTFトーン値は、第1のサイズの帯域幅の少なくとも一部分をカバーし、
前記LTFトーン値の各々は、様々なサブキャリアについて1回または複数回繰り返される、第1の回路と、
前記第1のサイズの帯域幅につき前記LTFシーケンスのトーンの位相を回転させ、前記LTFシーケンスの複数のトーンの位相を選択的に回転させるように構成された第2の回路であって、前記複数のトーンは第2のサイズの帯域幅の一部分に属する、第2の回路と、
パイロット位置における前記LTFシーケンスのトーンを値の所定のストリームに置き換えるように構成された第3の回路と
を含み、
前記第1の回路は、送信のためのプリアンブルを作成するように構成され、前記プリアンブルは前記LTFシーケンス内に前記回転されたトーンの位相および前記値の所定のストリームに置き換えられたトーンを含む、ワイヤレス通信のための装置。
【請求項１３】
第2のサイズの帯域幅を利用することによって、ワイヤレスチャネルにより前記プリアンブル内の前記LTFシーケンスを送信するように構成された送信機
をさらに含む、請求項12に記載の装置。
【請求項１４】
前記第2のサイズの前記帯域幅は80MHz帯域を含む、請求項13に記載の装置。
【請求項１５】
前記第1の回路は、
送信チャネルの帯域幅に応じて前記LTFシーケンス内に前記複数の補間シーケンスを選択的に挿入するようにさらに構成される、請求項12に記載の装置。
【請求項１６】
前記第1のサイズの前記帯域幅は、20MHz帯域または40MHz帯域のうちの少なくとも1つを含む、請求項12に記載の装置。
【請求項１７】
前記LTFシーケンスを送信する前にオーバーサンプリングを実行するように構成されたサンプリング回路
をさらに含む、請求項12に記載の装置。
【請求項１８】
前記LTFシーケンスは、DCサブキャリアの近くのサブキャリアにおける最大3つのゼロトーン値を含む、請求項12に記載の装置。
【請求項１９】
1つまたは複数の値で非パイロット位置における前記LTFシーケンスのトーンを乗算するように構成された乗算器をさらに含み、
前記乗算器は、1つまたは複数の他の値で前記パイロット位置における前記LTFシーケンスのトーンを乗算するようにさらに構成され、
前記1つまたは複数の値および前記1つまたは複数の他の値は、最大のピーク対平均電力比(PAPR)を低減するように決定される、請求項12に記載の装置。
【請求項２０】
前記LTFシーケンスの前記送信に関連する帯域幅の異なる部分に異なるヌルトーン値を利用するように構成された第4の回路であって、帯域幅の前記部分の各々は40MHz帯域を含む、第4の回路
をさらに含む、請求項12に記載の装置。
【請求項２１】
1つまたは複数の位相回転パターンを使用して、前記プリアンブルのレガシー部の中のレガシーロングトレーニングフィールド(L-LTF)またはレガシーショートトレーニングフィールド(L-STF)のうちの少なくとも1つのトーンの位相を修正するように構成された第4の回路をさらに含み、
プリアンブルの前記レガシー部は、従前、現在および将来のワイヤレス通信規格に従って通信する装置によって認識可能な前記プリアンブルの一部分を含む、請求項12に記載の装置。
【請求項２２】
1つまたは複数の位相回転パターンを使用して、前記プリアンブルのレガシー部のトーンの位相を修正するように構成された第4の回路をさらに含み、
プリアンブルの前記レガシー部は、レガシーショートトレーニングフィールド(L-STF)、レガシーロングトレーニングフィールド(L-LTF)、レガシー信号(L-SIG)フィールド、または超高スループット信号フィールドタイプA(VHT-SIG-A)のうちの少なくとも1つを含み、
プリアンブルの前記レガシー部は、従前、現在および将来のワイヤレス通信規格に従って通信する装置によって認識可能な前記プリアンブルの一部分を含む、請求項12に記載の装置。
【請求項２３】
プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築する手段であって、
前記LTFトーン値は、第1のサイズの帯域幅の少なくとも一部分をカバーし、
前記LTFトーン値の各々は、様々なサブキャリアについて1回または複数回繰り返される、手段と、
前記第1のサイズの帯域幅につき前記LTFシーケンスのトーンの位相を回転させ、前記LTFシーケンスの複数のトーンの位相を選択的に回転させる手段であって、前記複数のトーンは第2のサイズの帯域幅の一部分に属する、手段と、
パイロット位置における前記LTFシーケンスのトーンを値の所定のストリームに置き換える手段と、
送信のためのプリアンブルを作成する手段であって、前記プリアンブルは前記LTFシーケンス内に前記回転されたトーンの位相および前記値の所定のストリームに置き換えられたトーンを含む、手段と
を含む、ワイヤレス通信のための装置。
【請求項２４】
第2のサイズの帯域幅を利用することによって、ワイヤレスチャネルにより前記プリアンブル内の前記LTFシーケンスを送信する手段
をさらに含む、請求項23に記載の装置。
【請求項２５】
前記第2のサイズの前記帯域幅は80MHz帯域を含む、請求項24に記載の装置。
【請求項２６】
前記LTFシーケンスを構築する前記手段は、
送信チャネルの帯域幅に応じて前記LTFシーケンス内に前記複数の補間シーケンスを選択的に挿入する手段
を含む、請求項23に記載の装置。
【請求項２７】
前記第1のサイズの前記帯域幅は、20MHz帯域または40MHz帯域のうちの少なくとも1つを含む、請求項23に記載の装置。
【請求項２８】
前記LTFシーケンスを送信する前にオーバーサンプリングを実行する手段
をさらに含む、請求項23に記載の装置。
【請求項２９】
前記LTFシーケンスは、DCサブキャリアの近くのサブキャリアにおける最大3つのゼロトーン値を含む、請求項23に記載の装置。
【請求項３０】
1つまたは複数の値で非パイロット位置における前記LTFシーケンスのトーンを乗算する手段と、
1つまたは複数の他の値で前記パイロット位置における前記LTFシーケンスのトーンを乗算する手段と
をさらに含み、
前記1つまたは複数の値および前記1つまたは複数の他の値は、最大のピーク対平均電力比(PAPR)を低減するように決定される、請求項23に記載の装置。
【請求項３１】
前記LTFシーケンスの前記送信に関連する帯域幅の異なる部分に異なるヌルトーン値を利用する手段であって、帯域幅の前記部分の各々は40MHz帯域を含む、手段
をさらに含む、請求項23に記載の装置。
【請求項３２】
1つまたは複数の位相回転パターンを使用して、前記プリアンブルのレガシー部の中のレガシーロングトレーニングフィールド(L-LTF)またはレガシーショートトレーニングフィールド(L-STF)のうちの少なくとも1つのトーンの位相を修正する手段をさらに含み、
プリアンブルの前記レガシー部は、従前、現在および将来のワイヤレス通信規格に従って通信する装置によって認識可能な前記プリアンブルの一部分を含む、請求項23に記載の装置。
【請求項３３】
1つまたは複数の位相回転パターンを使用して、前記プリアンブルのレガシー部のトーンの位相を修正する手段をさらに含み、
プリアンブルの前記レガシー部は、レガシーショートトレーニングフィールド(L-STF)、レガシーロングトレーニングフィールド(L-LTF)、レガシー信号(L-SIG)フィールド、または超高スループット信号フィールドタイプA(VHT-SIG-A)のうちの少なくとも1つを含み、
プリアンブルの前記レガシー部は、従前、現在および将来のワイヤレス通信規格に従って通信する装置によって認識可能な前記プリアンブルの一部分を含む、請求項23に記載の装置。
【請求項３４】
プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するステップであって、
前記LTFトーン値は、第1のサイズの帯域幅の少なくとも一部分をカバーし、
前記LTFトーン値の各々は、様々なサブキャリアについて1回または複数回繰り返される、ステップと、
前記第1のサイズの帯域幅につき前記LTFシーケンスのトーンの位相を回転させ、前記LTFシーケンスの複数のトーンの位相を選択的に回転させるステップであって、前記複数のトーンは第2のサイズの帯域幅の一部分に属する、ステップと、
パイロット位置における前記LTFシーケンスのトーンを値の所定のストリームに置き換えるステップと、
送信のためのプリアンブルを作成するステップであって、前記プリアンブルは前記LTFシーケンス内に前記回転されたトーンの位相および前記値の所定のストリームに置き換えられたトーンを含む、ステップと
を実行できる命令を記録するワイヤレス通信のためのコンピュータ可読記録媒体。
【請求項３５】
少なくとも1つのアンテナと、
プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するように構成された第1の回路であって、
前記LTFトーン値は、第1のサイズの帯域幅の少なくとも一部分をカバーし、
前記LTFトーン値の各々は、様々なサブキャリアについて1回または複数回繰り返される、第1の回路と、
前記第1のサイズの帯域幅につき前記LTFシーケンスのトーンの位相を回転させ、前記LTFシーケンスの複数のトーンの位相を選択的に回転させるように構成された第2の回路であって、前記複数のトーンは第2のサイズの帯域幅の一部分に属する、第2の回路と、
パイロット位置における前記LTFシーケンスのトーンを値の所定のストリームに置き換えるように構成された第3の回路と、
第2のサイズの帯域幅を利用することによって、ワイヤレスチャネルにより前記プリアンブル内の前記LTFシーケンスを前記少なくとも1つのアンテナを介して送信するように構成された送信機と
を含み、
前記第1の回路は、送信のためのプリアンブルを作成するように構成され、前記プリアンブルは前記LTFシーケンス内に前記回転されたトーンの位相および前記値の所定のストリームに置き換えられたトーンを含む、アクセスポイント。
【発明の詳細な説明】
【技術分野】
【０００１】
優先権の主張
本特許出願は、本出願の譲受人に譲渡され、参照により明白に本明細書に組み込まれる、2010年4月6日に出願された仮出願第61/321,330号、2010年4月7日に出願された仮出願第61/321,752号、2010年4月13日に出願された仮出願第61/323,775号、2010年5月7日に出願された仮出願第61/332,360号、2010年5月10日に出願された仮出願第61/333,168号、2010年5月13日に出願された仮出願第61/334,260号、2010年5月26日に出願された仮出願第61/348,349号、2010年6月1日に出願された仮出願第61/350,216号、および2010年6月15日に出願された仮出願第61/354,898号の利益を主張する。
【０００２】
本開示のいくつかの態様は、一般にはワイヤレス通信に関し、より詳細には、超高スループット(VHT)ワイヤレスシステムの送信プリアンブルの一部としてロングトレーニングフィールド(LTF)シーケンスを構築するための方法および装置に関する。
【背景技術】
【０００３】
米国電気電子技術者協会(IEEE)802.11ワイドローカルエリアネットワーク(WLAN)規格団体は、1ギガビット/秒を上回る総スループットを目指して、5GHzのキャリア周波数(すなわち、IEEE 802.11ac仕様)を使用するか、60GHzのキャリア周波数(すなわち、IEEE 802.11ad仕様)を使用する超高スループット(VHT)手法に基づく伝送のための仕様を作成した。VHT5GHz仕様のための可能な技術の1つは、より広いチャネル帯域幅であり、これは2つの40MHzチャネルを結合して80MHz帯域幅を実現することによって物理層(PHY)データレートを2倍にするが、IEEE 802.11n規格と比較してコスト上昇はわずかである。
【０００４】
VHTロングトレーニングフィールド(LTF)は、送信プリアンブルの一部であり、基礎をなす多入力多出力(MIMO)ワイヤレスチャネルの特性を推定するために受信機側で利用され得る。本開示では、VHT-LTFシーケンスを構築する一方で、送信ノードにおける低いピーク対平均電力比(PAPR)をもたらすための方法および装置が提案される。
【発明の概要】
【課題を解決するための手段】
【０００５】
本開示のいくつかの態様は、ワイヤレス通信のための方法をサポートする。本方法は一般に、プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するステップであって、LTFトーン値は、第1のサイズの帯域幅の少なくとも一部分をカバーし、LTFトーン値の各々は、様々なサブキャリアについて1回または複数回繰り返される、ステップと、LTFシーケンスの送信中にピーク対平均電力比(PAPR)を低減する目的で、第1のサイズの帯域幅につきLTFシーケンスのトーンの位相を回転させるステップと、PAPRを低減する目的で選択された値の所定のストリームに、パイロット位置におけるLTFシーケンスのトーンを置き換えるステップとを含む。
【０００６】
本開示のいくつかの態様は、ワイヤレス通信のための装置を提供する。本装置は一般に、プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するように構成された第1の回路であって、LTFトーン値は、第1のサイズの帯域幅の少なくとも一部分をカバーし、LTFトーン値の各々は、様々なサブキャリアについて1回または複数回繰り返される、第1の回路と、LTFシーケンスの送信中にピーク対平均電力比(PAPR)を低減する目的で、第1のサイズの帯域幅につきLTFシーケンスのトーンの位相を回転させるように構成された第2の回路と、PAPRを低減する目的で選択された値の所定のストリームに、パイロット位置におけるLTFシーケンスのトーンを置き換えるように構成された第3の回路とを含む。
【０００７】
本開示のいくつかの態様は、ワイヤレス通信のための装置を提供する。本装置は一般に、プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するための手段であって、LTFトーン値は、第1のサイズの帯域幅の少なくとも一部分をカバーし、LTFトーン値の各々は、様々なサブキャリアについて1回または複数回繰り返される、手段と、LTFシーケンスの送信中にピーク対平均電力比(PAPR)を低減する目的で、第1のサイズの帯域幅につきLTFシーケンスのトーンの位相を回転させるための手段と、PAPRを低減する目的で選択された値の所定のストリームに、パイロット位置におけるLTFシーケンスのトーンを置き換えるための手段とを含む。
【０００８】
本開示のいくつかの態様は、ワイヤレス通信のためのコンピュータプログラム製品を提供する。本コンピュータプログラム製品に、プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するステップであって、LTFトーン値は、第1のサイズの帯域幅の少なくとも一部分をカバーし、LTFトーン値の各々は、様々なサブキャリアについて1回または複数回繰り返される、ステップと、LTFシーケンスの送信中にピーク対平均電力比(PAPR)を低減する目的で、第1のサイズの帯域幅につきLTFシーケンスのトーンの位相を回転させるステップと、PAPRを低減する目的で選択された値の所定のストリームに、パイロット位置におけるLTFシーケンスのトーンを置き換えるステップとを実行できる命令を含むコンピュータ可読媒体を含む。
【０００９】
本開示のいくつかの態様は、アクセスポイントを提供する。本アクセスポイントは一般に、少なくとも1つのアンテナと、プリアンブルのロングトレーニングフィールド(LTF)シーケンスを、IEEE 802.11n規格またはIEEE 802.11a規格のうちの少なくとも1つに関連するLTFトーン値と複数の補間シーケンスとを組み合わせることによって構築するように構成された第1の回路であって、LTFトーン値は、第1のサイズの帯域幅の少なくとも一部分をカバーし、LTFトーン値の各々は、様々なサブキャリアについて1回または複数回繰り返される、第1の回路と、LTFシーケンスの送信中にピーク対平均電力比(PAPR)を低減する目的で、第1のサイズの帯域幅につきLTFシーケンスのトーンの位相を回転させるように構成された第2の回路と、PAPRを低減する目的で選択された値の所定のストリームに、パイロット位置におけるLTFシーケンスのトーンを置き換えるように構成された第3の回路と、第2のサイズの帯域幅を使用してLTFシーケンスを少なくとも1つのアンテナを介して送信するように構成された送信機とを含む。
【００１０】
本開示の上述の特徴を詳細に理解することができるように、添付の図面にその一部を示す態様を参照することによって、上記で簡単に要約したもののさらに具体的な説明が得られ得る。ただし、その説明は他の等しく有効な態様に通じ得るので、添付の図面は、本開示のいくつかの典型的な態様のみを示し、したがって、その範囲を限定するものと見なすべきではないことに留意されたい。
【図面の簡単な説明】
【００１１】
【図１】本開示のいくつかの態様による、ワイヤレス通信ネットワークの図である。
【図２】本開示のいくつかの態様による、図1のワイヤレス通信ネットワークにおけるワイヤレスノードの物理層(PHY)の信号処理機能の例示的なブロック図である。
【図３】本開示のいくつかの態様による、図1のワイヤレス通信ネットワークにおけるワイヤレスノードの処理システムに関する例示的なハードウェア構成のブロック図である。
【図４】本開示のいくつかの態様による、超高スループットロングトレーニングフィールド(VHT-LTF)シーケンスを含むプリアンブルの例示的な構造を示す図である。
【図５Ａ】本開示のいくつかの態様による、80MHzチャネル向けに構築された好ましいVHT-LTFシーケンスに関する送信ピーク対平均電力比(PAPR)結果の例を示す図である。
【図５Ｂ】本開示のいくつかの態様による、80MHzチャネル向けに構築された好ましいVHT-LTFシーケンスに関する送信ピーク対平均電力比(PAPR)結果の例を示す図である。
【図５Ｃ】本開示のいくつかの態様による、80MHzチャネル向けに構築された好ましいVHT-LTFシーケンスに関する送信ピーク対平均電力比(PAPR)結果の例を示す図である。
【図５Ｄ】本開示のいくつかの態様による、80MHzチャネル向けに構築された好ましいVHT-LTFシーケンスに関する送信ピーク対平均電力比(PAPR)結果の例を示す図である。
【図５Ｅ】本開示のいくつかの態様による、80MHzチャネル向けに構築された好ましいVHT-LTFシーケンスに関する送信ピーク対平均電力比(PAPR)結果の例を示す図である。
【図５Ｆ】本開示のいくつかの態様による、80MHzチャネル向けに構築された好ましいVHT-LTFシーケンスに関する送信ピーク対平均電力比(PAPR)結果の例を示す図である。
【図５Ｇ】本開示のいくつかの態様による、80MHzチャネル向けに構築された好ましいVHT-LTFシーケンスに関する送信ピーク対平均電力比(PAPR)結果の例を示す図である。
【図５Ｈ】本開示のいくつかの態様による、80MHzチャネル向けに構築された好ましいVHT-LTFシーケンスに関する送信ピーク対平均電力比(PAPR)結果の例を示す図である。
【図５Ｉ】本開示のいくつかの態様による、80MHzチャネル向けに構築された好ましいVHT-LTFシーケンスに関する送信ピーク対平均電力比(PAPR)結果の例を示す図である。
【図５Ｊ】本開示のいくつかの態様による、80MHzチャネル向けに構築された好ましいVHT-LTFシーケンスに関する送信ピーク対平均電力比(PAPR)結果の例を示す図である。
【図６】本開示のいくつかの態様による、PAPRを低減する目的で構築された例示的なVHT-LTFシーケンスを示す図である。
【図７Ａ】本開示のいくつかの態様による、PAPRを低減する目的で選択されたVHT-LTFシーケンスのパイロットトーンにおける例示的な値を示す図である。
【図７Ｂ】本開示のいくつかの態様による、80MHzチャネルでの送信向けに構築された様々なVHT-LTFシーケンスに関するPAPR結果の例を示す図である。
【図７Ｃ】本開示のいくつかの態様による、80MHzチャネルでの送信向けに構築された様々なVHT-LTFシーケンスに関するPAPR結果の例を示す図である。
【図７Ｄ】本開示のいくつかの態様による、80MHzチャネルでの送信向けに構築された様々なVHT-LTFシーケンスに関するPAPR結果の例を示す図である。
【図７Ｅ】本開示のいくつかの態様による、80MHzチャネルでの送信向けに構築された様々なVHT-LTFシーケンスに関するPAPR結果の例を示す図である。
【図７Ｆ】本開示のいくつかの態様による、80MHzチャネルでの送信向けに構築された様々なVHT-LTFシーケンスに関するPAPR結果の例を示す図である。
【図７Ｇ】本開示のいくつかの態様による、80MHzチャネルでの送信向けに構築された様々なVHT-LTFシーケンスに関するPAPR結果の例を示す図である。
【図７Ｈ】本開示のいくつかの態様による、80MHzチャネルでの送信向けに構築された様々なVHT-LTFシーケンスに関するPAPR結果の例を示す図である。
【図７Ｉ】本開示のいくつかの態様による、80MHzチャネルでの送信向けに構築された様々なVHT-LTFシーケンスに関するPAPR結果の例を示す図である。
【図８Ａ】本開示のいくつかの態様による、80MHzチャネルでの送信向けに構築されたVHT-LTFシーケンスの例を示す図である。
【図８Ｂ】本開示のいくつかの態様による、80MHzチャネルでの送信向けに構築されたVHT-LTFシーケンスの例を示す図である。
【図８Ｃ】本開示のいくつかの態様による、80MHzチャネルでの送信向けに構築されたVHT-LTFシーケンスの例を示す図である。
【図９】本開示のいくつかの態様による、80MHzチャネルでの送信向けにVHT-LTFシーケンスを構築するためのワイヤレスノードで実行され得る例示的な動作を示す図である。
【図９Ａ】図9に示した動作を実行することができる例示的な構成要素を示す図である。
【図１０Ａ】本開示のいくつかの態様による、VHT送信プリアンブルのレガシーロングトレーニングフィールド(L-LTF)を構築するために適用される様々な位相回転パターンに関する最小PAPR結果の例を示す図である。
【図１０Ｂ】本開示のいくつかの態様による、VHT送信プリアンブルのレガシーショートトレーニングフィールド(L-STF)を構築するために適用される様々な位相回転パターンに関する最小PAPR結果の例を示す図である。
【発明を実施するための形態】
【００１２】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実装し得、または方法を実施し得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の1つまたは複数の要素によって実施され得ることを理解されたい。
【００１３】
「例示的な」という言葉は、「一例、実例または例として」を意味するために本明細書で使用される。「例示的な」ものとして本明細書で説明する態様は、必ずしも他の態様よりも好ましい、または有利であると解釈されるわけではない。
【００１４】
本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図と好ましい態様についての以下の説明とに示す。発明を実施するための形態および図面は、限定的なものではなく本開示を説明するものにすぎず、本開示の範囲は添付の特許請求の範囲およびその均等物によって規定される。
【００１５】
例示的なワイヤレス通信システム
本明細書で説明する技法は、直交多重化方式に基づく通信システムを含む様々なブロードバンドワイヤレス通信システムに使用され得る。そのような通信システムの例には、直交周波数分割多元接続(OFDMA)システム、シングルキャリア周波数分割多元接続(SC-FDMA)システムなどがある。OFDMAシステムは、システム帯域幅全体を複数の直交するサブキャリアに分割する変調技法である直交周波数分割多重(OFDM)を利用する。これらのサブキャリアは、トーン、ビンなどと呼ばれることもある。OFDMでは、各サブキャリアはデータによって別個に変調され得る。SC-FDMAシステムは、システム帯域幅全体にわたって分散されるサブキャリア上で送信するためのインタリーブドFDMA(IFDMA)、隣接するサブキャリアのブロック上で送信するための局所化FDMA(LFDMA:localized FDMA)、または隣接するサブキャリアの複数のブロック上で送信するためのエンハンストFDMA(EFDMA)を利用することができる。一般に、変調シンボルは、OFDMでは周波数領域で、SC-FDMAでは時間領域で送られる。
【００１６】
本明細書の教示は、様々なワイヤードまたはワイヤレス装置(たとえば、ノード)に組み込まれ得る(たとえば、その装置内に実装され、またはその装置によって実行され得る)。いくつかの態様では、本明細書の教示に従って実装されるノードは、アクセスポイントまたはアクセス端末を含み得る。
【００１７】
アクセスポイント(「AP」)は、ノードB、無線ネットワークコントローラ(「RNC」)、eノードB、基地局コントローラ(「BSC」)、送受信基地局(「BTS」)、基地局(「BS」)、トランシーバ機能(「TF」)、無線ルータ、無線トランシーバ、基本サービスセット(「BSS」)、拡張サービスセット(「ESS」)、無線基地局(「RBS」)、または何らかの他の用語を含むか、それらのいずれかとして実装されるか、あるいはそれらのいずれかとして知られていることがある。
【００１８】
アクセス端末(「AT」)は、アクセス端末、加入者局、加入者ユニット、移動局、リモート局、リモート端末、ユーザ端末、ユーザエージェント、ユーザデバイス、ユーザ機器、または何らかの他の用語を含むか、それらのいずれかとして実装されるか、あるいはそれらのいずれかとして知られていることがある。いくつかの実装形態では、アクセス端末は、セルラー電話、コードレス電話、セッション開始プロトコル(「SIP」)電話、ワイヤレスローカルループ(「WLL」)局、携帯情報端末(「PDA」)、ワイヤレス接続機能を有するハンドヘルドデバイス、またはワイヤレスモデムに接続された何らかの他の好適な処理デバイスを含み得る。したがって、本明細書で教示する1つまたは複数の態様は、電話(たとえば、セルラー電話またはスマートフォン)、コンピュータ(たとえば、ラップトップ)、ポータブル通信デバイス、ポータブルコンピューティングデバイス(たとえば、個人情報端末)、エンターテインメントデバイス(たとえば、音楽またはビデオデバイス、あるいは衛星ラジオ)、全地球測位システムデバイス、ヘッドセット、センサ、あるいはワイヤレスまたはワイヤード媒体を介して通信するように構成された他の好適なデバイスに組み込まれ得る。いくつかの態様では、ノードはワイヤレスノードである。たとえば、そのようなワイヤレスノードは、ワイヤードまたはワイヤレス通信リンクを介した、ネットワーク(たとえば、インターネットまたはセルラーネットワークなど、ワイドエリアネットワーク)のための、またはネットワークへの接続性を与え得る。
【００１９】
ここで図1を参照して、ワイヤレスネットワークのいくつかの態様を提示する。ワイヤレスネットワーク100は、ノード110およびノード120として全体的に指定されるいくつかのワイヤレスノードとともに示されている。各ワイヤレスノードは、受信および/または送信が可能である。以下の説明では、「受信ノード」という用語が、受信しているノードに言及するために使用されることがあり、「送信ノード」という用語が、送信しているノードに言及するために使用されることがある。そのような言及は、そのノードが送信動作と受信動作の両方を実行することは不可能であることを意味しない。
【００２０】
本開示の一態様では、ワイヤレスネットワーク100は、1ギガビット/秒を上回る総スループットを目指して、5GHzのキャリア周波数(すなわち、IEEE 802.11ac仕様)を利用するか、60GHzのキャリア周波数(すなわち、IEEE 802.11ad仕様)を利用する信号送信に関する超高スループット(VHT)プロトコルを利用するIEEE 802.11ワイドローカルエリアネットワーク(WLAN)を表し得る。VHT5GHz仕様は、より広いチャネル帯域幅を利用することができ、これは2つの40MHzチャネルを含んで80MHz帯域幅を実現することによってPHYデータレートを2倍にすることができるが、IEEE 802.11n規格と比較してコスト上昇はわずかである。
【００２１】
以下の詳細な説明では、ダウンリンク通信において、送信ノードを指定するために「アクセスポイント」という用語が使用され、受信ノードを指定するために「アクセス端末」という用語が使用される一方、アップリンク通信において、受信ノードを指定するために「アクセスポイント」という用語が使用され、送信ノードを指定するために「アクセス端末」という用語が使用される。しかしながら、アクセスポイントおよび/またはアクセス端末について他の専門用語または名称も使用できることを、当業者なら容易に理解するであろう。例として、アクセスポイントは、基地局、送受信基地局、局、端末、ノード、アクセスポイントとして動作するアクセス端末、または何らかの他の適切な専門用語で呼ばれることがある。アクセス端末は、ユーザ端末、移動局、加入者局、局、ワイヤレスデバイス、端末、ノード、または何らかの他の適切な専門用語で呼ばれることがある。本開示全体にわたって説明する様々なコンセプトは、特定の名称にかかわらず、すべての適切なワイヤレスノードに当てはまるように意図されている。
【００２２】
ワイヤレスネットワーク100は、アクセス端末120向けにカバレージを提供するために地理的領域全体に分散している任意の数のアクセスポイントをサポートすることができる。システムコントローラ130は、アクセスポイントの調整および制御を行い、アクセス端末120が他のネットワーク(たとえば、インターネット)にアクセスできるようにするために使用され得る。簡単にするために、1つのアクセスポイント110が示されている。アクセスポイントは通常、カバレージの地理的領域においてアクセス端末にバックホールサービスを提供する固定型端末であるが、適用例によってはアクセスポイントはモバイル型であり得る。本開示の一態様では、アクセスポイント110において、超高スループットロングトレーニングフィールド(VHT-LTF)シーケンスを、アクセス端末120のうちの1つまたは複数に送信されるVHTプリアンブル内に構築し、それによりアクセスポイント110の送信機において好ましいレベルのピーク対平均電力比(PAPR)を実現することができる。アクセス端末は、固定型またはモバイル型とすることができ、アクセスポイントのバックホールサービスを利用するか、他のアクセス端末とのピアツーピア通信に携わる。アクセス端末の例として、電話(たとえば、セルラー電話)、ラップトップコンピュータ、デスクトップコンピュータ、携帯情報端末(PDA)、デジタルオーディオプレーヤ(たとえば、MP3プレーヤ)、カメラ、ゲームコンソール、または任意の他の適切なワイヤレスノードがある。
【００２３】
1つまたは複数のアクセス端末120に複数のアンテナを装備して、一定の機能を可能にすることができる。この構成では、アクセスポイント110における複数のアンテナを使用して、複数のアンテナを備えるアクセス端末と通信することにより、帯域幅または送信電力を追加することなくデータスループットを改善することができる。これは、送信機における高データレート信号を、様々な空間シグネチャを伴う複数のより低いレートのデータストリームに分割することによって達成でき、それによって、受信機はこれらのストリームを複数のチャネルに分割し、ストリームを適切に結合して高レートデータ信号を回復することができる。
【００２４】
以下の開示のいくつかの部分は、多入力多出力(MIMO)技術もサポートするアクセス端末について説明するが、MIMO技術をサポートしないアクセス端末をサポートするようにアクセスポイント110を構成することもできる。この手法は、アクセス端末の旧バージョン(すなわち、「レガシー」端末)がワイヤレスネットワークに配備されたままにすることを許容し、その有効寿命を延ばす一方で、新しいMIMOアクセス端末を適宜に導入することを許容することができる。
【００２５】
以下の詳細な説明では、本発明の様々な態様について、直交周波数分割多重(OFDM)のような任意の適切なワイヤレス技術をサポートするMIMOシステムに言及しながら説明する。OFDMは、正確な周波数で離間した複数のサブキャリアでデータを配信する技法である。離間は、受信機がサブキャリアからのデータを回復することを可能にする「直交性」をもたらす。OFDMシステムは、IEEE 802.11または何らかの他のエアインターフェース規格を実施することができる。他の適切なワイヤレス技術には、例として、符号分割多元接続(CDMA)、時分割多元接続(TDMA)もしくは任意の他の適切なワイヤレス技術、または適切なワイヤレス技術の任意の組合せがある。CDMAシステムは、IS-2000、IS-95、IS-856、広帯域CDMA(WCDMA)、または何らかの他の適切なエアインターフェース規格で実施できる。TDMAシステムは、Global System for Mobile Communications(GSM(登録商標))、または何らかの他の適切なエアインターフェース規格で実施できる。当業者なら容易に諒解するように、本発明の様々な態様は、任意の特定のワイヤレス技術および/またはエアインターフェース規格に限定されない。
【００２６】
図2は、物理(PHY)層の信号処理機能の一例を示す概念ブロック図を示している。送信モードにおいて、TXデータプロセッサ202を使用して、媒体アクセス制御(MAC)層からデータを受信し、データを符号化(たとえば、ターボ符号化)して、受信ノードにおける前方誤り訂正(FEC)を容易にすることができる。符号化プロセスの結果、符号シンボルのシーケンスがもたらされ、これをTXデータプロセッサ202がまとめて(blocked together)、信号コンスタレーションにマップして、変調シンボルのシーケンスを作成することができる。本開示の一態様では、TXデータプロセッサ202は、好ましいレベルのPAPRを実現するために送信VHTプリアンブル内に超高スループットロングトレーニングフィールド(VHT-LTF)シーケンスを生成することができる。
【００２７】
OFDMを実施するワイヤレスノードでは、TXデータプロセッサ202からの変調シンボルがOFDM変調器204に提供され得る。OFDM変調器は、変調シンボルを並行ストリームに分割する。各ストリームは、次いでOFDMサブキャリアにマップされ、次いで逆高速フーリエ変換(IFFT)を使用して合成されて、時間領域OFDMストリームを作成する。
【００２８】
TX空間プロセッサ205は、OFDMストリームに対する空間処理を実行する。これは、各OFDMを空間的にプリコーディングし、次いで空間的にプリコーディングされた各ストリームをトランシーバ206を介して様々なアンテナ208に提供することによって実現され得る。各送信機206は、ワイヤレスチャネルでの送信のためにプリコーディングされたそれぞれのストリームでRFキャリアを変調する。
【００２９】
受信モードでは、各トランシーバ206は、そのそれぞれのアンテナ208を通じて信号を受信する。各トランシーバ206を使用して、RFキャリアに変調された情報を回復し、RX空間プロセッサ210に情報を提供することができる。
【００３０】
RX空間プロセッサ210は、情報に対して空間処理を実行して、ワイヤレスノード200に向けられたあらゆる空間ストリームを回復する。空間処理は、チャネル相関行列反転(CCMI)、最小平均2乗誤差(MMSE)、ソフト干渉消去(SIC)または何らかの他の適切な技法に従って実行され得る。複数の空間ストリームがワイヤレスノード200に向けられている場合、それらはRX空間プロセッサ210によって合成され得る。
【００３１】
OFDMを実施するワイヤレスノードでは、RX空間プロセッサ210からのストリーム(または合成ストリーム)がOFDM復調器212に提供される。OFDM復調器212はストリーム(または合成ストリーム)を、高速フーリエ変換(FFT)を使用して時間領域から周波数領域に変換する。周波数領域信号は、OFDM信号のサブキャリアごとに別個のストリームを含む。OFDM復調器212は、各サブキャリアで運ばれたデータ(すなわち、変調シンボル)を回復し、データを変調シンボルのストリームに多重化する。
【００３２】
RXデータプロセッサ214を使用して、変調シンボルを信号コンスタレーションにおける適正なポイントまで翻訳し戻す。ワイヤレスチャネルにおけるノイズおよび他の障害が原因で、変調シンボルは元の信号コンスタレーションにおけるポイントの正確な位置に対応していないことがある。RXデータプロセッサ214は、受信ポイントと信号コンスタレーションにおける有効なシンボルの位置との間の最小距離を見つけることによって、どの変調シンボルが送信された可能性が最も高いかを突き止める。ターボ符号化の場合、たとえば、所与の変調シンボルに関連する符号シンボルの対数尤度比(LLR)を計算するために、これらの軟判定を使用することができる。次いでRXデータプロセッサ214は、MAC層にデータを提供する前に、最初に送信されたデータを復号するために、符号シンボルLLRのシーケンスを使用する。
【００３３】
図3は、ワイヤレスノードにおける処理システムのハードウェア構成の一例を示す概念図を示している。この例では、処理システム300は、バス302によって概略的に表されるバスアーキテクチャで実施することができる。バス302は、処理システム300の特定の適用例および全体的な設計制約に応じて、任意の数の相互接続するバスおよびブリッジを含むことができる。バスは、プロセッサ304、機械可読媒体306およびバスインターフェース308を含む様々な回路を結合することができる。バスインターフェース308は、とりわけネットワークアダプタ310を処理システム300にバス302を介して接続するために使用され得る。ネットワークアダプタ310は、PHY層の信号処理機能を実施するために使用され得る。アクセス端末120(図1参照)の場合、ユーザインターフェース312(たとえば、キーパッド、ディスプレイ、マウス、ジョイスティックなど)をバスに接続することもできる。バス302は、タイミングソース、周辺機器、電圧調整器、電力管理回路など様々な他の回路をリンクさせることも可能であり、これは当技術分野ではよく知られているので、これ以上説明しない。
【００３４】
プロセッサ304は、バスの管理、および機械可読媒体306に記憶されたソフトウェアの実行を含む一般の処理を受け持つ。プロセッサ304は、1つまたは複数の汎用および/または専用プロセッサで実現できる。例として、マイクロプロセッサ、マイクロコントローラ、DSPプロセッサ、およびソフトウェアを実行できる他の回路がある。ソフトウェアは、ソフトウェア、ファームウェア、ミドルウェア、マイクロコード、ハードウェア記述言語、またはその他の名称で呼ばれるかどうかにかかわらず、命令、データ、またはそれらのいかなる組合せも意味するように広く解釈されるものである。機械可読媒体は、例として、RAM(ランダムアクセスメモリ)、フラッシュメモリ、ROM(読取り専用メモリ)、PROM(プログラマブル読取り専用メモリ)、EPROM(消去可能プログラマブル読取り専用メモリ)、EEPROM(電気的消去可能プログラマブル読取り専用メモリ)、レジスタ、磁気ディスク、光ディスク、ハードドライブ、もしくは他の任意の適切な記憶媒体、またはそれらの任意の組合せを含み得る。機械可読媒体はコンピュータプログラム製品に具現化され得る。コンピュータプログラム製品は、実装材料を含み得る。本開示の一態様では、プロセッサ304は、図9の動作900および/または本明細書で説明する技法に関する他のプロセスを実行または指示することができる。
【００３５】
図3に示すハードウェア実装形態において、機械可読媒体306は、プロセッサ304とは別個の、処理システム300の一部として示されている。ただし、当業者なら容易に諒解するように、機械可読媒体306、またはそのどの部分も、処理システム300の外部にあってよい。例として、機械可読媒体306は、送信回線、データによって変調された搬送波、および/またはワイヤレスノードとは別個のコンピュータ製品を含んでよく、これらはすべて、バスインターフェース308を介してプロセッサ304によってアクセスされ得る。代替的に、または追加として、機械可読媒体306、またはそのどの部分も、プロセッサ304に、場合によってはキャッシュおよび/または一般的レジスタファイルと統合されてよい。
【００３６】
処理システム300は、プロセッサ機能を提供する1つまたは複数のマイクロプロセッサ、および機械可読媒体306の少なくとも一部分を提供する外部メモリを有し、すべてが外部のバスアーキテクチャを通じて他の補助回路とともにリンクされた汎用処理システムとして構成可能である。代替的に、処理システム300は、プロセッサ304と、バスインターフェース308と、ユーザインターフェース312(アクセス端末の場合)と、補助回路(不図示)と、機械可読媒体306の少なくとも一部分とが単一のチップへと統合されたASIC(特定用途向け集積回路)を用いて、または、1つもしくは複数のFPGA(フィールドプログラマブルゲートアレイ)、PLD(プログラマブル論理デバイス)、コントローラ、状態機械、ゲート論理、個別ハードウェア構成要素、もしくは任意の他の適切な回路、もしくは本開示全体にわたって説明する様々な機能を実行できる回路の任意の組合せを用いて実装できる。当業者なら、特定の適用例および全体的なシステムに課せられた全体的な設計制約に応じて、処理システム300のための記載の機能を最善の形で実施する方法を認識するであろう。
【００３７】
本開示のいくつかの態様は、送信ノードにおけるPAPRが十分に低くなるように、VHT送信プリアンブルの一部としてトレーニングシーケンスを構築するための方法および装置をサポートする。一態様では、トレーニングシーケンスはVHT-LTFシーケンスを含むことができる。
【００３８】
80MHzチャネル帯域幅向けにロングトレーニングフィールドシーケンスを構築する方法
図4は、本開示のいくつかの態様による、VHT-LTFシーケンスを含むプリアンブル400の例示的な構造を示している。プリアンブル400は、図1に示すワイヤレスネットワーク100において、アクセスポイント110からアクセス端末120のうちの1つまたは複数に送信され得る。プリアンブル400は、IEEE 802.11ac仕様に従って、またはIEEE 802.11ad仕様に従って送信され得る。
【００３９】
本開示の一態様では、プリアンブル400は、全レガシー部分402およびプリコード802.11ac VHT部分414を含むことができる。レガシー部分402は、レガシーショートトレーニングフィールド(L-STF)404、レガシーロングトレーニングフィールド406、レガシー信号(L-SIG)フィールド408、および超高スループット信号フィールドタイプAの2つのOFDMシンボル410、412(VHT-SIG-Aフィールド)を含むことができる。VHT-SIG-Aフィールド410、412は、全方向的に送信され得る。プリコード802.11ac VHT部分414は、超高スループットショートトレーニングフィールド(VHT-STF)416、超高スループットロングトレーニングフィールド1(VHT-LTF1)418、超高スループットロングトレーニングフィールド(VHT-LTFs)420、超高スループット信号フィールドタイプB(VHT-SIG-Bフィールド)422、およびデータパケット424を含むことができる。VHT-SIG-Bフィールドは、1つのOFDMシンボルを含むことができ、プリコード/ビームフォーム送信され得る。
【００４０】
ロバストなマルチユーザ(MU)MIMO受信では、APがすべてのVHT-LTFs 420をすべてのサポート対象ユーザに送信することが必要となり得る。VHT-LTFシーケンス420により、各ユーザはすべてのAPアンテナからユーザアンテナへのMIMOチャネルを推定することができる。ユーザは、推定されたチャネルを利用して、他のユーザに対応するMU-MIMOストリームからの干渉の効果的なヌリングを実行することができる。本開示の一態様では、VHT-LTFシーケンス420の新規構造は、APの送信機におけるPAPRを最小化する(または少なくとも低減する)目的で構築され得る。
【００４１】
本開示の一態様では、VHT-LTFシーケンスを、相補シーケンスによってカバーされる20MHzサブバンドにおいて4つの802.11a LTFシーケンスを使用することによって、80MHzチャネル向けに構築することができる。この相補シーケンスは、20MHzサブバンドの各々における位相回転に相当し得る。また、VHT-LTFシーケンスの送信中にPAPRを最小化する(または少なくとも低減する)目的で、いくつかの追加的トーン値を選択することができる。したがって、VHT-LTFパターンは次のように定義できる。
VHTLTF-122,122 = {cl.* [1,1,-1,-1,1,1,-1,1,-1,1,1,1,1,1,1-1,-1,1,1,-1,1,1,1,1,interp20Null],
c1.* [1,-1,-1,1,1,-1,1,-1,-1,-1,-1,-1,1,1,-1,-1,1,-1,1,-1,1,1,1,1,1],
interp40Null,
c2.*[1,1,-1-,1,1,1,-1,1,-1,1,1,1,1,1,1,-1,-1,1,1,-1,1,-1,1,1,1,1,interp20Null],
c2.*[1,-1,-1,1,1,-1,1,-1,1,-1,1,-1,-1,-1,-1,-1,1,1,-1,-1,1,-1,1,1,1,1],
interp80ExtraL,0,0,0,interp80ExtraR,
c3.*[1,1,-1,-1,1,1,-1,1,-1,-1,1,1,1,1,1,1,-1,-1,1,1,-1,-1,1,1,1,1,interp20Null],
c3.*[1,-1,-1,1,1,-1,1,-1,1,-1,-1,-1,-1,-1,1,1,-1,-1,1,-1,1,-1,1,1,1,1],
interp40Null,
c4.*[1,1,-1,-1,1,1,-1,1,-1,1,1,1,1,1,1,-1,-1,1,1,-1,1,-1,1,1,1,1,interp20Null],
c4.*[1,-1,-1,1,1,-1,1,-1,1,-1,-1,-1,-1,-1,1,1,-1,-1,1,-1,1,-1,1,1,1,1]}.
(1)
【００４２】
式(1)から観察され得るように、DCトーンの近くで最大3つのゼロトーン値(サブキャリア)が存在することができ、補間シーケンスinterp20Null、interp40Null、interp80ExtraL、interp80ExtraRは、PAPRを最小化する(または少なくとも低減する)目的で選択される追加のトーンを含むことができ、[c1 c2 c3 c4]は相補シーケンスを表すことができる。
【００４３】
20MHzサブバンドに対して様々な位相回転パターンを適用することによって、式(1)によるVHT-LTFパターンに基づいて設計されたVHT-LTFシーケンスを送信するときに様々なPAPR結果が取得され得る。一般に、4つの20MHz 802.11a LTFシーケンスに基づいて構築されるVHT-LTFシーケンスは、40MHzサブバンドにおける2つの802.11n LTFシーケンスに基づいて構築されるVHT-LTFシーケンスと比較して、改善されたPAPR結果をもたらし得る。
【００４４】
上位40MHz帯域の位相回転はPAPRの低減につながらないことがあり、PAPR結果はさらに悪くなることがあることに留意されたい。一態様では、相補シーケンス[1 1 1 -1]および[1 -1 1 1]は、相補シーケンス[1 1 -1 1]および[-1 1 1 1]よりも良好なPAPR結果をもたらし得る。また、奇数または偶数の20MHzサブバンドの90度の位相回転は、PAPRのさらなる低減に寄与しないことがある。
【００４５】
式(1)によるパターンに基づいて80MHzチャネル帯域幅向けに構築されたVHT-LTFシーケンスは、様々な非オーバーサンプリングおよびオーバーサンプリングのケースにおいて、図5Aに示すように、VHT-LTFが補間シーケンスinterp20Null、interp40Null、interp80ExtraL、interp80ExtraRおよび回転パターン[c1 c2 c3 c4]を含む場合、好ましいPAPR結果をもたらし得る。図5Aおよびそれに続く図5B〜図5Jにおける「回転あり」という標示は、90度の上位40MHz帯域におけるトーンの位相回転を指し、「4xTDI」という標示は、時間領域補間(TDI)に基づく4倍のオーバーサンプリングを指すことに留意されたい。図5A〜図5Jに示すように、80メガサンプル/秒(Msps)または320Mspsのサンプリングレートが利用され得る。
【００４６】
本開示の一態様では、VHT-LTFシーケンスは、すべての20MHz 802.11aトーンおよび40MHz 802.11nトーンを使用することによって、80MHzチャネルでの送信向けに構築され得る。したがって、任意の20MHzサブバンドでは、20MHz 802.11aの中または40MHz 802.11nの中に存在し得るすべてのトーンが、20MHz LTFシーケンスまたは40MHz HT-LTFシーケンスからの対応するトーンの値を持つことができる。さらに、相補位相回転シーケンスを、20MHz 802.11a帯域幅につき適用することができ(すなわち、802.11aトーンを回転させることができ)、数個の消失トーンを補うことができる。この場合、VHT-LTFパターンは次のように与えられ得る。
VHTLTF-122,122 = {c1.* [1,1,-1,-1,1,1,-1,1,-1,1,1,1,1,1,1-1,-1,1,1,-1,1,1,1,1,1],
c1.* [1,-1,-1,1,1,-1,1,-1,1-1,-1,-1,-1,-1,1,1-1,-1,1,-1,1,-1,1,1,1,1],
-1,-1,-1,1,interp40Null,-1,1,1,-1,
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
interp80ExtraL,0,0,0,interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
-1,-1,-1,1,interp40Null,-1,1,1,-1,
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(2)
【００４７】
式(2)から観察され得るように、DCトーンの近くで3つのゼロサブキャリアが存在することができ、補間シーケンスinterp40Null、interp80ExtraL、interp80ExtraRは、PAPRを最小化する(または少なくとも低減する)目的で選択される追加のトーンを含むことができ、[c1 c2 c3 c4]は相補位相回転シーケンスを表すことができる。式(2)によるVHT-LTFパターンの1つの利点は、既存の20MHz 802.11aおよび40MHz 802.11nのトーンに関する異なる値を記憶する必要がなくなり得ることである。一方、PAPRのレベルは、式(1)によるVHT-LTFパターンのPAPRのレベルより若干高くなることがあり、その理由は、PAPRを最小化する(または少なくとも低減する)目的で選択される追加のトーンが少なくなっていることにある。
【００４８】
20MHzサブバンドに対して様々な位相回転パターンを適用することによって、式(2)によるVHT-LTFパターンに基づいて設計された80MHz VHT-LTFシーケンスを送信するときに様々なPAPR結果が取得され得る。式(2)によるパターンに基づくVHT-LTFシーケンスは、式(1)によるパターンに基づく以前に生成されたVHT-LTFシーケンスのサブセットを表し得ることが観察できる。したがって、式(2)によるパターンに基づいて構築されたVHT-LTFシーケンスのPAPR結果は、式(1)によるパターンに基づいて構築されたVHT-LTFシーケンスのPAPR結果ほど良好ではないことがある。式(2)によるパターンに基づいて80MHzチャネル帯域幅向けに構築されたVHT-LTFシーケンスは、様々な非オーバーサンプリングおよびオーバーサンプリングのケースにおいて、図5Bに示すように、VHT-LTFsが補間シーケンスinterp40Null、interp80ExtraL、interp80ExtraRおよび回転パターン[c1 c2 c3 c4]を含む場合、好ましいPAPR結果をもたらし得る。
【００４９】
本開示の一態様では、VHT-LTFシーケンスは、式(2)によって定義されたVHT-LTFパターンを若干修正することによって、80MHzチャネルでの送信向けに構築され得る。すべての20MHz 802.11aトーンおよび40MHz 802.11nトーンを利用し、各20MHzサブバンド(すなわち、20MHz 802.11aトーン、および40MHz 802.11nの追加のデータトーン)に対し相補位相回転シーケンスを適用することができる。さらに、数個の消失トーンを補うことができる。この場合、80MHzチャネル向けVHT-LTFパターンは、次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[-1,-1,-1,1,interp40Null,c2.*[-1,1,1,-1],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
interp80ExtraL,0,0,0,interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[-1,-1,-1,1],interp40Null, c4.*[-1,1,1,-1],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(3)
【００５０】
式(3)から観察され得るように、DCトーンの近くで3つのゼロサブキャリアが存在することができ、補間シーケンスinterp40Null、interp80ExtraL、interp80ExtraRは、PAPRを最小化する(または少なくとも低減する)目的で選択される追加のトーンを含むことができ、[c1 c2 c3 c4]は相補位相回転シーケンスを表すことができる。式(3)によるパターンに基づくVHT-LTFシーケンスは、回転トーンカバレージの点で、式(1)および(2)に基づくVHT-LTFシーケンスと異なり得る。式(3)によって定義されたVHT-LTFパターンの1つの利点は、既存の20MHz 802.11aおよび40MHz 802.11nのトーンに関する異なる値を記憶する必要がなくなり得ることである。一方、PAPRのレベルは、式(1)によって定義されたVHT-LTFパターンのPAPRのレベルと比較して若干高くなることがあり、その理由は、PAPRを最小化する(または少なくとも低減する)目的で最適化される追加のトーンが少なくなっていることにある。
【００５１】
式(3)によるパターンに基づいて80MHzチャネル帯域幅向けに構築されたVHT-LTFシーケンスは、様々な非オーバーサンプリングおよびオーバーサンプリングのケースにおいて、図5Cに示すように、VHT-LTFsが補間シーケンスinterp40Null、interp80ExtraL、interp80ExtraRおよび回転パターン[c1 c2 c3 c4]を含む場合、好ましいPAPR結果をもたらし得る。図5Cから観察され得るように、3.2110dBという最良のPAPR結果を得ることができ、これは式(1)によるパターンに基づくVHT-LTFシーケンスの場合(すなわち、図5Aで与えられる3.2163dBのPAPR)よりも良好であり、その理由は回転トーンカバレージの違いにある。
【００５２】
本開示の一態様では、VHT-LTFシーケンスは、すべての既存の20MHz 802.11a、20MHz 802.11nおよび40MHz 802.11nのトーンを使用することによって、80MHzチャネルでの送信向けに構築でき、各20MHzサブバンド(すなわち、20MHz 802.11aトーン、および40MHz 802.11nの追加のデータトーン)に対し相補シーケンス位相回転を適用し、数個の消失トーンを補うことができる。この場合、VHT-LTFパターンは次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[-1,-1,-1,1],interp40Null,c2.*[-1,1,1,-1],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
c2.*[-1,-1]interp80ExtraL,0,0,0,interp80ExtraR, c3.*[1,1],
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[-1,-1,-1,1],interp40Null, c4.*[-1,1,1,-1],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(4)
【００５３】
式(4)から観察され得るように、DCトーンの近くで3つのゼロサブキャリアが存在することができ、補間シーケンスinterp40Null、interp80ExtraL、interp80ExtraRは、PAPRを最小化する(または少なくとも低減する)目的で選択される追加のトーンを含むことができ、[c1 c2 c3 c4]は相補シーケンスを表すことができる。式(4)によって定義されたVHT-LTFパターンは、interp80ExtraLおよびinterp80ExtraRのそばに4つの追加のトーンが20MHz 802.11n LTF値によって補われ得るという点で、式(3)によって定義されたVHT-LTFパターンと異なり得る。式(4)によって定義されたパターンに基づいて80MHzチャネル帯域幅向けに構築されたVHT-LTFシーケンスは、様々な非オーバーサンプリングおよびオーバーサンプリングのケースにおいて、図5Dに示すように、構築されたVHT-LTFsが補間シーケンスinterp40Null、interp80ExtraL、interp80ExtraRおよび回転パターン[c1 c2 c3 c4]を含む場合、好ましいPAPR結果をもたらし得る。
【００５４】
本開示の一態様では、式(4)によって定義されたVHT-LTFパターンを修正することによって、VHT-LTFシーケンスを、すべての既存の20MHz 802.11a、20MHz 802.11nおよび40MHz 802.11nのトーンを使用することによって、また同一の補間シーケンスinterp80ExtraL、interp80ExtraRを利用することによって、80MHzチャネルでの送信向けに構築することができる。この場合、VHT-LTFパターンは次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[-1,-1,-1,1],interp40Null,c2.*[-1,1,1,-1],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
c2.*[-1,-1],interp80Extra,0,0,0,interp80ExtraR, c3.*[1,1],
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[-1,-1,-1,1],interp40Null, c4.*[-1,1,1,-1],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(5)
【００５５】
式(5)から観察され得るように、DCトーンの近くで3つのゼロサブキャリアが存在することができ、補間シーケンスinterp40Null、interp80Extraは、PAPRを最小化する(または少なくとも低減する)目的で選択される追加のトーンを含むことができ、[c1 c2 c3 c4]は相補シーケンスを表すことができる。式(5)によって定義されたパターンに基づいて80MHzチャネル帯域幅向けに構築されたVHT-LTFシーケンスは、様々な非オーバーサンプリングおよびオーバーサンプリングのケースにおいて、図5Eに示すように、VHT-LTFシーケンスが補間シーケンスinterp40Null、interp80Extraおよび回転パターン[c1 c2 c3 c4]を含む場合、好ましいPAPR結果をもたらし得る。
【００５６】
本開示の一態様では、VHT-LTFのために割り振られる242個のサブキャリアにおいて、80MHz帯域のサブキャリア番号-128で始まるVHT-LTFパターンは、図6に示すビットシーケンス600を含むことができる。VHT-LTFパターン600は、既存の40MHz 802.11nサブキャリア値または20MHz 80211nサブキャリア値(DCの近くのみ)のうち少なくとも1つを利用することができる。VHT-LTFシーケンスは、10個の追加のサブキャリア、すなわちDCの近くで4個および40MHz 802.11n DCの近くで6個のサブキャリアを必要とし得る。補間シーケンスは、[Interp40NullL Interp80ExtraL Interp80ExtraR Interp40NullR] = {1, -1, -1, -1, -1, 1, -1, 1, 1, -1}として提供可能であり、ここで最初の3つの値はInterp40NullLに対応することができ、次の2つの値はInterp80ExtraLに対応することができ、次の2つの値はInterp80ExtraRに対応することができ、最後の3つの値はInterp40NullRに対応することができる。
【００５７】
VHT-LTFシーケンス600と式(1)〜(5)によって定義されたVHT-LTFパターンとの1つの違いは、3つのInterp40Nullのトーンが、VHT-LTFシーケンス600の左部分と右部分とで(すなわち上位の40MHz帯域と下位の40MHz帯域とで)異なり得ることである。一態様では、2進数600の上に、20MHzサブバンドにつき追加の位相回転を適用することができ、この場合、位相回転は90度の任意の倍数に対応し得る。
【００５８】
本開示の一態様では、20MHzサブバンドにつき適用される位相回転パターン{1, 1, 1, -1}は、周期的補間および4倍のオーバーサンプリングを使用して4.76dBという好ましいPAPRをもたらし得る。この場合、シーケンス600の最後の64個の要素の符号は反転し得る。別の態様では、上位の40MHzサブチャネルと下位の40MHzサブチャネルとの間における90度の位相シフトを維持するために、{1, j, 1, j}の回転パターンを使用し、好ましい追加の10個のサブキャリア値を{1, -1, 1, -1, -1, 1, -1, -1, -1, -1}とすることができる。
【００５９】
本開示の一態様では、式(3)によって定義されたVHT-LTFパターンにおいて、80MHzの帯域幅の異なる部分に(すなわち、上位の40MHzサブチャネルと下位の40MHzサブチャネルとに)異なるヌルトーン値を使用できる。この場合、80MHzチャネルでの送信向けVHT-LTFパターンは、次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[-1,-1,-1,1],interp40NullL,c2.*[-1,1,1,-1],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
interp80ExtraL,0,0,0,interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[-1,-1,-1,1],interp40NullR, c4.*[-1,1,1,-1],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(6)
【００６０】
式(6)から観察され得るように、DCトーンの近くで3つのゼロサブキャリアが存在することができ、補間シーケンスinterp40Null、interp40NullR、interp80ExtraL、interp80ExtraRは、PAPRを最小化する(または少なくとも低減する)目的で選択される追加のトーンを含むことができ、[c1 c2 c3 c4]は相補シーケンスを表すことができる。式(6)によるパターンに基づいて80MHzチャネル帯域幅向けに構築されたVHT-LTFシーケンスは、様々な非オーバーサンプリングおよびオーバーサンプリングのケースにおいて、図5Fに示すように、VHT-LTFシーケンスが補間シーケンスinterp40Null、interp40NullR、interp80ExtraL、interp80ExtraRおよび位相回転パターン[c1 c2 c3 c4]を含む場合、好ましいPAPR結果をもたらし得る。
【００６１】
本開示の一態様では、式(3)によって定義されたVHT-LTFパターンにおいて、上位の40MHzサブキャリアと下位の40MHzサブキャリアとで異なるヌルトーン値を使用することができる。この場合、80MHzチャネルでの送信向けVHT-LTFシーケンスは、次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[-1,-1,-1,1],interp40NullL,c2.*[-1,1,1,-1],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
interp80ExtraL,0,0,0,interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[-1,-1,-1,1],interp40NullR, c4.*[-1,1,1,-1],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(7)
【００６２】
式(7)から観察され得るように、DCトーンの近くで3つのゼロサブキャリアが存在することができ、補間シーケンスinterp40Null、interp40NullR、interp80ExtraL、interp80ExtraRは、PAPRを最小化する(または少なくとも低減する)目的で選択される追加のトーンを含むことができ、[c1 c2 c3 c4]は相補シーケンスを表すことができる。式(7)によるVHT-LTFパターンは、式(6)によるVHT-LTFパターンと同様に定義可能であるが、サイズ1024の逆高速フーリエ変換(IFFT)によりオーバーサンプリングされたシーケンスを生成する異なる方法を利用することができる。式(7)によるパターンに基づいて80MHzチャネル帯域幅向けに構築されたVHT-LTFシーケンスは、様々な非オーバーサンプリングおよびオーバーサンプリングのケースにおいて、図5Gに示すように、VHT-LTFシーケンスが補間シーケンスinterp40Null、interp40NullR、interp80ExtraL、interp80ExtraRおよび位相回転パターン[c1 c2 c3 c4]を含む場合、好ましいPAPR結果をもたらし得る。
【００６３】
本開示の一態様では、式(2)によって定義されたVHT-LTFパターンを修正することによって、VHT-LTFシーケンスを、すべての20MHz 802.11aのトーンおよび40MHz 802.11nのトーンを使用することによって、80MHzチャネル向けに構築することもでき、各20MHzサブバンド(すなわち、20MHz 802.11a、および40MHz 802.11nの追加のデータトーン)に対し相補シーケンス位相回転を適用し、数個の消失トーンを補うことができる。この場合、80MHzチャネルでの送信向けVHT-LTFパターンは、次のように定義され得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[-1,-1,-1,1],interp40Null,c2.*[-1,1,1,-1],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
interp80ExtraL,0,0,0,interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[-1,-1,-1,1],interp40Null, c4.*[-1,1,1,-1],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(8)
【００６４】
式(8)から観察され得るように、DCトーンの近くで3つのゼロサブキャリアが存在することができ、補間シーケンスinterp40Null、interp80ExtraL、interp80ExtraRは、PAPRを最小化する(または少なくとも低減する)目的で選択される追加のトーンを含むことができ、[c1 c2 c3 c4]は相補シーケンスを表すことができる。式(8)によるVHT-LTFパターンは、式(3)によるVHT-LTFパターンと同様に定義可能であるが、サイズ1024のIFFTによりオーバーサンプリングされたシーケンスを生成する異なる方法を利用することができる。式(8)によるパターンに基づいて80MHzチャネル帯域幅向けに構築されたVHT-LTFシーケンスは、様々な非オーバーサンプリングおよびオーバーサンプリングのケースにおいて、図5Hに示すように、VHT-LTFシーケンスが補間シーケンスinterp40Null、interp80ExtraL、interp80ExtraRおよび位相回転パターン[c1 c2 c3 c4]を含む場合、好ましいPAPR結果をもたらし得る。
【００６５】
本開示の一態様では、式(8)によって定義されたVHT-LTFパターンを修正することによって、80MHzチャネルでの送信向けVHT-LTFシーケンスを、すべての40MHz 802.11nのトーンを使用することによって構築することもでき、各20MHzサブバンドに対し相補シーケンス位相回転を適用し、数個の消失トーンを補うことができる。この場合、80MHzチャネルでの送信向けVHT-LTFパターンは、次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[[-1,-1,-1,1],interp40Null(1)],c2.*[interp40Null(2,3),[-1,1,1,-1]],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
c2.*interp80ExtraL,0,0,0, c3.*interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[[-1,-1,-1,1],interp40Null(1)], c4.*[interp40Null(2,3),[-1,1,1,-1]],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(9)
【００６６】
式(9)から観察され得るように、DCトーンの近くで3つのゼロサブキャリアが存在することができ、補間シーケンスinterp40Null、interp80ExtraL、interp80ExtraRは、PAPRを最小化する(または少なくとも低減する)目的で選択される追加のトーンを含むことができ、[c1 c2 c3 c4]は相補シーケンスを表すことができる。式(9)によるパターンに基づいて80MHzチャネル帯域幅向けに構築されたVHT-LTFシーケンスは、様々な非オーバーサンプリングおよびオーバーサンプリングのケースにおいて、図5Iに示すように、VHT-LTFシーケンスが補間シーケンスinterp40Null、interp80ExtraL、interp80ExtraRおよび位相回転パターン[c1 c2 c3 c4]を含む場合、好ましいPAPR結果をもたらし得る。
【００６７】
本開示の一態様では、式(9)によって定義されたVHT-LTFパターンにおいて、上位の40MHzサブバンドと下位の40MHzサブバンドとに異なるヌルトーン値を使用できる。この場合、80MHzチャネルでの送信向けVHT-LTFパターンは、次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[[-1,-1,-1,1],interp40NullL(1)],c2.*[interp40NullL(2,3),[-1,1,1,-1]],
c2.*[1,1,-1-,1,1,1,-1,1,-1,1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
c2.*interp80ExtraL,0,0,0, c3.*interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[[-1,-1,-1,1],interp40NullR(1)], c4.*[interp40NullR(2,3),[-1,1,1,-1]],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]}.
(10)
【００６８】
式(10)から観察され得るように、DCトーンの近くで3つのゼロサブキャリアが存在することができ、補間シーケンスinterp40Null、interp80ExtraL、interp80ExtraRは、PAPRを最小化する(または少なくとも低減する)目的で選択される追加のトーンを含むことができ、[c1 c2 c3 c4]は相補シーケンスを表すことができる。式(10)によるパターンに基づいて80MHzチャネル帯域幅向けに構築されたVHT-LTFシーケンスは、様々な非オーバーサンプリングおよびオーバーサンプリングのケースにおいて、図5Jに示すように、VHT-LTFシーケンスが補間シーケンスinterp40Null、interp80ExtraL、interp80ExtraRおよび位相回転パターン[c1 c2 c3 c4]を含む場合、好ましいPAPR結果をもたらし得る。
【００６９】
本開示の一態様では、式(10)によって定義されたVHT-LTFパターンのVHT-LTFトーン値を、パイロットトーンにおいて、図7Aに示すシングルストリームパイロット値700に置き換えることができる。さらに、図7Bに示すP値のうちの1つまたは複数を、VHT-LTFパターンの非パイロットトーンに対して適用して、送信ノードの様々なストリーム間における直交性をもたらし得る。様々なP値についてのPAPR結果も図7Bに示されているが、サイズ1024のIFFTによる4倍のオーバーサンプリングを送信ノードで適用できる。この場合、1つのVHT-LTFシンボルと別のVHT-LTFシンボルとの間で、また1つの送信ストリームと別の送信ストリームとの間で、最大0.7dBのPAPR変動が生じ得る。
【００７０】
本開示の一態様では、VHT-LTFシーケンスを、すべての20MHz 802.11aトーンおよび40MHz 802.11nトーンを使用することによって、また上位の40MHzサブバンドと下位の40MHzサブバンドとに異なるヌルトーン値を利用することによって、80MHzチャネルでの送信向けに構築することができる。さらに、パイロットトーンにおけるVHT-LTFトーン値を、図7Aによるシングルストリームパイロット700に置き換えることができ、「1」のP値を非パイロットトーンに適用でき、消失トーンを補い、各20MHzサブチャネルに対して位相回転を適用することができる。この場合、80MHzチャネルでの送信向けVHT-LTFパターンは、次のように与えられ得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,[1],-1,1,1,1,1],
c1.*[[-1,-1,-1,1],interp40NullL(1)],c2.*[interp40NullL(2,3),[-1,1,1,-1]],
c2.*[1,1,-1-,1,1,-1,1,-1,1,1,1,1,1,1,-1,-1,1,1,[1],1,-1,1,1,1,1,1],
c2.*[1,-1,-1,1,1,-1,1,-1,1,-1,-1,-1,-1,-1,1,1,-1,-1,1,-1,[1],-1,1,1,1,1],
c2.*interp80ExtraL,0,0,0, c3.*interp80ExtraR,
c3.*[1,1,-1,-1,1,[-1],-1,1,-1,1,1,1,1,1,1,-1,-1,1,1,-1,1,-1,1,1,1,1,1],
c3.*[1,-1,-1,1,1,-1,[-1],-1,1,-1,-1,-1,-1,-1,1,1,-1,-1,1,-1,1,-1,1,1,1,1],
c3.*[[-1,-1,-1,1],interp40NullR(1)], c4.*[interp40NullR(2,3),[-1,1,1,-1]],
c4.*[1,1,-1,-1,1,[1],-1,1,-1,1,1,1,1,1,1,-1,-1,1,1,-1,1,-1,1,1,1,1,1],
c4.*[1,-1,-1,1,1,-1,[1],-1,1,-1,-1,-1,-1,-1,1,1,-1,-1,1,-1,1,-1,1,1,1,1]}.
(11)
【００７１】
図7Aによるシングルストリームパイロット700および「1」のP値を伴う好ましい80MHz VHT-LTFシーケンスは、位相回転[c1 c2 c3 c4] = [-1 1 1 1]および補間シーケンス[interp40NullL, interp80ExtraL, interp80ExtraR, interp40NullR] = [1    -1     1,     1    -1     1     1,    -1    -1    -1    1,     1    -1     1]を使用することによって、4.6138dBのPAPR(サイズ1024のIFFTによる4倍のオーバーサンプリング)を実現することができる。様々なP値について図7CにPAPR結果が示されている。
【００７２】
本開示の一態様では、VHT-LTFシーケンスを、すべての20MHz 802.11aトーンおよび40MHz 802.11nトーンを使用することによって、また上位の40MHzサブバンドと下位の40MHzサブバンドとに異なるヌルトーン値を利用することによって、80MHzチャネルでの送信向けに構築することができる。さらに、パイロットトーンにおけるVHT-LTFトーン値を、図7Aによるシングルストリームパイロット700に置き換えることができ、「-1」のP値を非パイロットトーンに適用でき、消失トーンを補い、各20MHzサブチャネルに対して位相回転を適用することができる。この場合、VHT-LTFシーケンスを構築するために使用されるVHT-LTFパターンは、式(11)の場合と同様に定義され得る。
【００７３】
図7Aによるシングルストリームパイロット700および「-1」のP値を伴う好ましい80MHz VHT-LTFシーケンスは、位相回転[c1 c2 c3 c4] = [1 1 -1 1]および補間シーケンス[interp40NullL, interp80ExtraL, interp80ExtraR, interp40NullR] = [1    -1     1,     1    1     -1     1,    1    -1    1    1,     -1    1     1]を使用することによって、4.6073dBのPAPR(サイズ1024のIFFTによる4倍のオーバーサンプリング)を実現することができる。様々なP値について図7DにPAPR結果が示されている。
【００７４】
本開示の一態様では、VHT-LTFシーケンスを、すべての20MHz 802.11aトーンおよび40MHz 802.11nトーンを使用することによって、また上位の40MHzサブバンドと下位の40MHzサブバンドとに異なるヌルトーン値を利用することによって、80MHzチャネルでの送信向けに構築することができる。さらに、パイロットトーンにおけるVHT-LTFトーン値を、図7Aによるシングルストリームパイロット700に置き換えることができ、exp(-jπ/3)のP値を非パイロットトーンに適用でき、消失トーンを補い、各20MHzサブチャネルに対して位相回転を適用することができる。この場合、VHT-LTFシーケンスを構築するために使用される基本パターンは、式(11)の場合と同様に定義され得る。
【００７５】
図7Aによるシングルストリームパイロット700およびexp(-jπ/3)のP値を伴う好ましい80MHz LTFシーケンスは、位相回転[c1 c2 c3 c4] = [-1 1 1 1]および補間シーケンス[interp40NullL, interp80ExtraL, interp80ExtraR, interp40NullR] = [1    -1     1,     1    -1     -1     1,    1    -1    1    1,     1    -1     1]を使用することによって、4.8658dBのPAPR(サイズ1024のIFFTによる4倍のオーバーサンプリング)を実現することができる。様々なP値について図7EにPAPR結果が示されている。
【００７６】
本開示の一態様では、VHT-LTFシーケンスを、すべての20MHz 802.11aトーンおよび40MHz 802.11nトーンを使用することによって、また上位の40MHzサブバンドと下位の40MHzサブバンドとに異なるヌルトーン値を利用することによって、80MHzチャネルでの送信向けに構築することができる。さらに、パイロットトーンにおけるVHT-LTFトーン値を、図7Aによるシングルストリームパイロット700に置き換えることができ、exp(-j2π/3)のP値を非パイロットトーンに適用でき、消失トーンを補い、各20MHzサブチャネルに対して位相回転を適用することができる。この場合、VHT-LTFシーケンスを構築するために使用される基本パターンは、式(11)の場合と同様に定義され得る。
【００７７】
図7Aによるシングルストリームパイロット700およびexp(-j2π/3)のP値を伴う好ましい80MHz VHT-LTFシーケンスは、位相回転[c1 c2 c3 c4] = [1 1 -1 1]および補間シーケンス[interp40NullL, interp80ExtraL, interp80ExtraR, interp40NullR] = [1    -1     1,     1    1     -1     1,    1    -1    1    1,     -1    1     1]を使用することによって、4.8248dBのPAPR(サイズ1024のIFFTによる4倍のオーバーサンプリング)を実現することができる。様々なP値について図7FにPAPR結果が示されている。
【００７８】
本開示の一態様では、VHT-LTFシーケンスを、すべての20MHz 802.11aトーンおよび40MHz 802.11nトーンを使用することによって、また上位の40MHzサブバンドと下位の40MHzサブバンドとに異なるヌルトーン値を利用することによって、80MHzチャネルでの送信向けに構築することができる。さらに、パイロットトーンにおけるVHT-LTFトーン値を、図7Aによるシングルストリームパイロット700に置き換えることができ、exp(-j4π/3)のP値を非パイロットトーンに適用でき、消失トーンを補い、各20MHzサブチャネルに対して位相回転を適用することができる。この場合、VHT-LTFシーケンスを構築するために使用される基本パターンは、式(11)の場合と同様に定義され得る。
【００７９】
図7Aによるシングルストリームパイロット700およびexp(-j4π/3)のP値を伴う好ましい80MHz VHT-LTFシーケンスは、位相回転[c1 c2 c3 c4] = [1 1 -1 1]および補間シーケンス[interp40NullL, interp80ExtraL, interp80ExtraR, interp40NullR] = [1    -1     1,     1    1     -1     1,    1    -1    1    1,     -1    1     1]を使用することによって、4.8248dBのPAPR(サイズ1024のIFFTによる4倍のオーバーサンプリング)を実現することができる。様々なP値について図7GにPAPR結果が示されている。
【００８０】
本開示の一態様では、VHT-LTFシーケンスを、すべての20MHz 802.11aトーンおよび40MHz 802.11nトーンを使用することによって、また上位の40MHzサブバンドと下位の40MHzサブバンドとに異なるヌルトーン値を利用することによって、80MHzチャネルでの送信向けに構築することができる。さらに、パイロットトーンにおけるVHT-LTFトーン値を、図7Aによるシングルストリームパイロット700に置き換えることができ、exp(-j5π/3)のP値を非パイロットトーンに適用でき、消失トーンを補い、各20MHzサブチャネルに対して位相回転を適用することができる。この場合、VHT-LTFシーケンスを構築するために使用される基本パターンは、式(11)の場合と同様に定義され得る。
【００８１】
図7Aによるシングルストリームパイロット700およびexp(-j5π/3)のP値を伴う好ましい80MHz VHT-LTFシーケンスは、位相回転[c1 c2 c3 c4] = [-1 1 1 1]および補間シーケンス[interp40NullL, interp80ExtraL, interp80ExtraR, interp40NullR] = [1    -1     1,     1    -1     -1     1,    1    -1    1    1,     1    -1     1]を使用することによって、4.8658dBのPAPR(サイズ1024のIFFTによる4倍のオーバーサンプリング)を実現することができる。様々なP値について図7HにPAPR結果が示されている。
【００８２】
本開示の一態様では、VHT-LTFシーケンスを、両方の40MHzサブチャネルに対しすべての40MHz 802.11nトーンを使用することによって、80MHzチャネルでの送信向けに構築することができ、この場合、パイロットトーンにおけるVHT-LTFトーン値を、図7Aによるシングルストリームパイロット700に置き換えることができ、消失トーンを補い、各20MHzサブチャネルに対し位相回転を適用することで、非パイロットトーンに対し適用される様々なP値に対して最大のPAPR(すなわち、ワースケースのPAPR結果)を最小化することができる。すなわち
【００８３】
【数１】
0005612194.tif 000002
【００８４】
ここでSは、式(11)によって定義されたパターンから導出されるすべての考え得るVHT-LTFシーケンスを表す。80MHzチャネルでの送信向けVHT-LTFシーケンスは、式(11)で定義されたパターンに基づいて構築され得る。
【００８５】
好ましい80MHz VHT-LTFシーケンスは、位相回転パターン[c1 c2 c3 c4] = [-1 1 1 1]および補間シーケンス[interp40NullL, interp80ExtraL, interp80ExtraR, interp40NullR] = [-1     1     1,    -1    -1     1    -1,     1    -1    -1     1,    1    -1     1]を使用することによって、様々なP値に対して5.0722dBという最小のワースケースの(最大の)PAPR(1024のサイズのIFFTによる4倍のオーバーサンプリング)を実現することができる。様々なP値について図7IにPAPR結果が示されている。
【００８６】
本開示の一態様では、値のストリーム700をパイロットトーンに対して適用しなくてもよい一方、式(11)によって定義されたVHT-LTFパターンのすべてのトーンに様々なP値を適用することができる。この場合、PAPR結果は、P値を適用しない場合の基本VHT-LTFシーケンスのPAPR結果と同じになり得る。
【００８７】
本開示の一態様では、VHT-LTFシーケンスの非パイロットトーンを1つまたは複数のP値(すなわち、Pマトリックスの1つまたは複数の要素)で乗算することができ、VHT-LTFシーケンスのパイロットトーンを1つまたは複数のR値(すなわち、Rマトリックスの1つまたは複数の要素)で乗算することができる。適用されるR値とは異なる任意の適用されるP値は、基本VHT-LTFシーケンスを変化させ得る。したがって、異なるP値およびR値によって、異なるPAPR結果がもたらされることがある。すべての考え得るP値およびR値に対して最大PAPRを最小化するシーケンスを見つけることによって、VHT-LTFシーケンスの最適化を実行できる。すなわち
【００８８】
【数２】
0005612194.tif 000003
【００８９】
ここでSは、すべての考え得る追加のトーン値および20MHzサブバンドごとの位相回転のシーケンスを表し得る。一態様では、PAPRのレベルは、P値およびR値の積によってのみ決定することができる。たとえば、
【００９０】
【数３】
0005612194.tif 000004
【００９１】
および
【００９２】
【数４】
0005612194.tif 000005
【００９３】
は、180度回転した同じVHT-LTFシーケンスを提供し得る。
【００９４】
一態様では、パイロットトーンに対してシングルストリーム値700を利用することなく、VHT-LTFシーケンスの最適化を実行できる。VHT-LTFシーケンスを、両方の40MHzサブチャネルに対しすべての40MHz 802.11nトーンを利用することによって、80MHzチャネルでの送信向けに構築することができ、消失トーンを補い、各20MHzサブチャネルに対し位相回転を適用することができる。この場合、構築されるVHT-LTFパターンは次のように定義され得る。
VHTLTF-122,122 = {c1.* [1,1,-1,-1,1,1,-1,1,-1,1,1,1,1,1,1-1,-1,1,1,-1,1,-1,1,1,1,1,1],
c1.* [1,-1,-1,1,1,-1,1,-1,1-1,-1,-1,-1,-1,1,1-1,-1,1,-1,1,-1,1,1,1,1],
c1.*[[-1,-1,-1,1],interp40NullL(1)],c2.*[interp40NullL(2,3),[-1,1,1,-1]],
c2.*[1,1,-1-,1,1,-1,1,-1,1,1,1,1,1,-1,-1,1,1,-1,1,-1,1,1,1,1,1],
c2.*[1,-1,-1,1,1,-1,1,-1,1,-1,-1,-1,-1,-1,1,1,-1,-1,1,-1,1,-1,1,1,1,1],
c2.*interp80ExtraL,0,0,0, c3.*interp80ExtraR,
c3.*[1,1,-1,-1,1,1,-1,1,-1,1,1,1,1,1,1,-1,-1,1,1,-1,1,-1,1,1,1,1,1],
c3.*[1,-1,-1,1,1,-1,1,-1,1,-1,-1,-1,-1,-1,1,1,-1,-1,1,-1,1,-1,1,1,1,1],
c3.*[[-1,-1,-1,1],interp40NullR(1)], c4.*[interp40NullR(2,3),[-1,1,1,-1]],
c4.*[1,1,-1,-1,1,1,-1,1,-1,1,1,1,1,1,1,-1,-1,1,1,-1,1,-1,1,1,1,1,1],
c4.*[1,-1,-1,1,1,-1,1,-1,1,-1,-1,-1,-1,-1,1,1,-1,-1,1,-1,1,-1,1,1,1,1]},
(14)
ここで、interp40NullL(3個のトーン)、interp80ExtraL(4個のトーン)、interp80ExtraR(4個のトーン)、interp40NullR(3個のトーン)が追加のトーンであり、interp40NullLおよびinterp40NullRは、同じである必要はないこともある。[c1 c2 c3 c4]は、{+/-1,+/-j}値を含む位相回転パターンである。消失トーン値および回転パターンは、最良のPAPRのために最適化され得る。
【００９５】
式(14)によって定義されたパターンに基づいて80MHzチャネルでの送信向けに構築された好ましいVHT-LTFシーケンスは、位相回転パターン[c1 c2 c3 c4] = [1 1 -1 1]あるいは[-1 -1 1 -1]、[j j -j j]、[-j -j j -j]を使用することによって、4.48dBのPAPR(サイズ1024のIFFTによる4倍のオーバーサンプリング)を実現することができる一方、補間シーケンスは[interp40NullL, interp80ExtraL, interp80ExtraR, interp40NullR] = [1     1     1,    -1    -1    -1     1,    1    -1    -1      -1,     1     1    -1]であり得る。VHT-LTFのパターン全体(20MHzサブチャネルごとの位相回転を除く)が図8Aに示されており、ビットパターン802の各列は、4つの20MHzサブチャネルのうちの1つに対応し得る。提案されている80MHz VHT-LTFパターン802はPAPRの点で、上位の40MHzサブバンドと下位の40MHzサブバンドとでヌルトーン値が等しいと仮定した場合に、制約探索空間による最適パターンよりも0.24dB良好であり得る。
【００９６】
本開示の別の態様では、パイロットトーンに対してシングルストリーム値700を適用することによって、VHT-LTFシーケンスの最適化を実行できる。VHT-LTFシーケンスを、両方の40MHzサブチャネルに対してすべての40MHz 802.11nトーンを利用し、パイロットトーンにおけるトーン値を図7Aによるシングルストリームパイロット700に置き換えることによって、80MHzチャネル向けに構築することができ、消失トーンを補い、各20MHzサブチャネルに対し位相回転を適用することができる。この場合、構築されるVHT-LTFパターンは次のように定義され得る。
VHTLTF-122,122 = {c1.* [1,1,-1,-1,1,1,-1,1,-1,1,1,1,1,1,1-1,-1,1,1,[-1],1,-1,1,1,1,1,1],
c1.* [1,-1,-1,1,1,-1,1,-1,1-1,-1,-1,-1,-1,1,1-1,-1,1,-1,[1],-1,1,1,1,1],
c1.*[[-1,-1,-1,1],interp40NullL(1)],c2.*[interp40NullL(2,3),[-1,1,1,-1]],
c2.*[1,1,-1-,1,1,1,-1,1,-1,1,1,1,1,1,1,-1,-1,1,1,[1],1,-1,1,1,1,1,1],
c2.*[1,-1,-1,1,1,-1,1,-1,1,-1,-1,-1,-1,-1,1,1,-1,-1,1,-1,[1],-1,1,1,1,1],
c2.*interp80ExtraL,0,0,0, c3.*interp80ExtraR,
c3.*[1,1,-1,-1,1,[-1],-1,1,-1,1,1,1,1,1,1,-1,-1,1,1,-1,1,-1,1,1,1,1,1],
c3.*[1,-1,-1,1,1,-1,[-1],-1,1,-1,-1,-1,-1,-1,1,1,-1,-1,1,-1,1,-1,1,1,1,1],
c3.*[[-1,-1,-1,1],interp40NullR(1)], c4.*[interp40NullR(2,3),[-1,1,1,-1]],
c4.*[1,1,-1,-1,1,[1],-1,1,-1,1,1,1,1,1,1,-1,-1,1,1,-1,1,-1,1,1,1,1,1],
c4.*[1,-1,-1,1,1,-1,[1],-1,1,-1,-1,-1,-1,-1,1,1,-1,-1,1,-1,1,-1,1,1,1,1]},
(15)
ここで、interp40NullL(3個のトーン)、interp80ExtraL(4個のトーン)、interp80ExtraR(4個のトーン)、interp40NullR(3個のトーン)が追加のトーンであり、interp40NullLおよびinterp40NullRは、同じである必要はないこともある。[c1 c2 c3 c4]は、{+/-1,+/-j}値を含む位相回転パターンである。消失トーン値および回転パターンは、最良のPAPRのために最適化され得る。
【００９７】
式(15)によって定義されたパターンに基づいて80MHzチャネルでの送信向けに構築された好ましいVHT-LTFシーケンスは、位相回転パターン[c1 c2 c3 c4] = [-1 1 1 1]あるいは[1 -1 -1 -1]、[-j j j j]、[j -j -j -j]を使用することによって、すべてのP値およびR値に対して5.0722dBという最小のワースケースのPAPR(サイズ1024のIFFTによる4倍のオーバーサンプリング)を有することができる一方、補間シーケンスは[interp40NullL, interp80ExtraL, interp80ExtraR, interp40NullR] = [-1     1     1,    -1    -1    1     -1,    1    -1    -1      1,     1     -1    1]であり得る。VHT-LTFのパターン全体(20MHzサブチャネルごとの位相回転を除く)が図8Bに示されており、ビットパターン804の各列は、4つの20MHzサブチャネルのうちの1つに対応し得る。好ましいVHT-LTFシーケンスにおいて、適用されるP値およびR値の積は、exp(-j2π/3)またはexp(-j4π/3)に等しくなり得る。
【００９８】
本開示のさらに別の態様では、新しいパイロットパターンを利用することによって、VHT-LTFシーケンスの最適化を実行できる。パイロット値は、パイロットトーンにおけるHT-LTF(高スループットロングトレーニングフィールド)値と同じであり得る。この場合、VHT-LTFの80MHzサブキャリアシーケンスを、両方の40MHzサブチャネルに対しすべての40MHz 802.11nトーンを使用することによって構築することができ、消失トーンを補い、各20MHzサブチャネルに対し位相回転を適用することができる。構築されるVHT-LTFパターンは次のように定義できる。
VHTLTF-122,122 = {c1.* [1,1,-1,-1,1,1,-1,1,-1,1,1,1,1,1,1-1,-1,1,1,[-1],1,-1,1,1,1,1,1],
c1.* [1,-1,-1,1,1,-1,1,-1,1-1,-1,-1,-1,-1,1,1-1,-1,1,-1,[1],-1,1,1,1,1],
c1.*[[-1,-1,-1,1],interp40NullL(1)],c2.*[interp40NullL(2,3),[-1,1,1,-1]],
c2.*[1,1,-1-,1,1,1,-1,1,-1,1,1,1,1,1,1,-1,-1,1,1,[-1],1,-1,1,1,1,1,1],
c2.*[1,-1,-1,1,1,-1,1,-1,1,-1,-1,-1,-1,-1,1,1,-1,-1,1,-1,[1],-1,1,1,1,1],
c2.*interp80ExtraL,0,0,0, c3.*interp80ExtraR,
c3.*[1,1,-1,-1,1,[1],-1,1,-1,1,1,1,1,1,1,-1,-1,1,1,-1,1,-1,1,1,1,1,1],
c3.*[1,-1,-1,1,1,-1,[1],-1,1,-1,-1,-1,-1,-1,1,1,-1,-1,1,-1,1,-1,1,1,1,1],
c3.*[[-1,-1,-1,1],interp40NullR(1)], c4.*[interp40NullR(2,3),[-1,1,1,-1]],
c4.*[1,1,-1,-1,1,[1],-1,1,-1,1,1,1,1,1,1,-1,-1,1,1,-1,1,-1,1,1,1,1,1],
c4.*[1,-1,-1,1,1,-1,[1],-1,1,-1,-1,-1,-1,-1,1,1,-1,-1,1,-1,1,-1,1,1,1,1]},
(16)
ここで、interp40NullL(3個のトーン)、interp80ExtraL(4個のトーン)、interp80ExtraR(4個のトーン)、interp40NullR(3個のトーン)が追加のトーンであり、interp40NullLおよびinterp40NullRは、同じである必要はないこともある。[c1 c2 c3 c4]は、{+/-1,+/-j}値を含む位相回転パターンである。消失トーン値および回転パターンは、最良のPAPRのために最適化され得る。
【００９９】
式(16)によって定義されたパターンに基づいて80MHzチャネルでの送信向けに構築された好ましいVHT-LTFシーケンスは、位相回転[c1 c2 c3 c4] = [-1 1 1 1]あるいは[1 -1 -1 -1]、[-j j j j]、[j -j -j -j]を使用することによって、すべてのP値およびR値に対して5.2070dBという最小のワースケースのPAPR(サイズ1024のIFFTによる4倍のオーバーサンプリング)を有することができる一方、補間シーケンスは[interp40NullL, interp80ExtraL, interp80ExtraR, interp40NullR] = [1     -1     1,    1    -1    1     -1,    1    -1    -1      1,     1     -1    1]であり得る。VHT-LTFのパターン全体(20MHzサブチャネルごとの位相回転を除く)が図8Cに示されており、ビットパターン806の各列は、4つの20MHzサブチャネルのうちの1つに対応し得る。好ましいVHT-LTFシーケンスにおいて、適用されるP値およびR値の積は、exp(-j2π/3)またはexp(-j4π/3)に等しくなり得る。
【０１００】
図9は、本開示のいくつかの態様による、80MHzチャネルでの送信向けにVHT-LTFシーケンスを構築するための例示的な動作900を示している。一態様では、動作900は、図1によるワイヤレス通信システム100のアクセスポイント110で実行できる。902において、VHT-LTFシーケンスを、IEEE 802.11nワイヤレス通信規格またはIEEE 802.11aワイヤレス通信規格のうちの少なくとも1つに関連するLTFトーン値と複数の補間シーケンスとを組み合わせることによって構築することができ、この場合、LTFトーン値は、第1のサイズの帯域幅の少なくとも一部分をカバーすることができ、LTFトーン値の各々は、様々なサブキャリアについて1回または複数回繰り返され得る。904において、VHT-LTFシーケンスの送信中にPAPRを最小化する(または少なくとも低減する)目的で(たとえば、20MHzサブバンドにつき適用される回転パターン[c1 c2 c3 c4]のc1、c2、c3およびc4の様々な値により)第1のサイズの帯域幅につき、VHT-LTFシーケンスのトーンの位相を回転させることができる。さらに、PAPRを低減する目的でLTFシーケンスの複数のトーンの位相を回転させることができ、この場合、複数のトーンは第2のサイズの帯域幅の一部分に属し得る。906において、PAPRを低減する目的で選択された値のストリームに(たとえば、図7Aによるストリーム700に)、パイロット位置におけるVHT-LTFシーケンスのトーンを置き換えることができる。
【０１０１】
本開示の一態様では、非パイロット位置におけるVHT-LTFシーケンスのトーンは、1つまたは複数の値(たとえば、P値)で乗算することができ、パイロット位置におけるVHT-LTFシーケンスのトーンは、1つまたは複数の他の値(たとえば、R値)で乗算することができ、この場合、VHT-LTFシーケンスの送信に関連するすべてのPAPR結果の中で最大のPAPRを低減する目的で、1つまたは複数の値、および1つまたは複数の他の値を決定することができる。
【０１０２】
構築されるVHT-LTFシーケンスは、第2のサイズの帯域幅を利用することによって、ワイヤレスチャネルにより送信され得る。本開示の一態様では、第1のサイズの帯域幅は、20MHzの帯域幅または40MHzの帯域幅のうち少なくとも1つを含むことができ、第2のサイズの帯域幅は、80MHzの帯域幅を含むことができる。
【０１０３】
プリアンブルのレガシー部の位相回転パターン
再び図4を参照すると、本開示のいくつかの態様は、送信ノードにおいてPAPRを低減する目的で、プリアンブル400のレガシー部402のレガシーロングトレーニングフィールド(L-LTF)406およびレガシーショートトレーニングフィールド(L-STF)404を設計するためのいくつかのオプションをサポートする。プリアンブルのレガシー部は、従前、現在および将来のワイヤレス通信規格に従って通信するワイヤレスノードによって認識可能なプリアンブルの部分を含むことができる。
【０１０４】
本開示のいくつかの態様は、L-LTFおよびL-STFのうちの少なくとも1つを送信する間に、PAPRを低減する目的で位相回転相補シーケンスをどのように設計できるかに関するいくつかのケースをサポートする。第1のケースでは、位相回転パターンをc = [c(1) c(2) c(3) c(4)]として与えることができ、ここではc(i) = 1, -1, j, -jである。この回転パターンは、実施態様により、潜在的な共存検出問題を有することがある。第2のケースでは、位相回転パターンをc = [a a*j b b*j]として与えることができ、ここではa, b = 1, -1, j, -jである。このケースでは、共存検出問題は発生しないことがある。第3のケースでは、位相回転パターンをc = [1 j e d]として与えることができ、ここではd = e*jを除いてe, d = 1, -1, j, -jである。この回転パターンも、実施態様により、潜在的な共存検出問題を有することがある。第4のケースでは、位相回転パターンをc = [1 j b b*j]として与えることができ、ここではbは任意の複素数であってよい。このケースでは、共存検出問題は発生しないことがある。
【０１０５】
図10Aは、本開示のいくつかの態様による、L-LTFシーケンスを構築するための位相回転パターンを設計する前述の4つのケースの各々に関する最小PAPR結果の例を示している。図10Aから観察され得るように、位相回転パターンc = [c(1) c(2) c(3) c(4)] = [-1 1 1 1]において、5.3962dBという最良のPAPR結果が達成され得る。
【０１０６】
図10Bは、本開示のいくつかの態様による、L-STFシーケンスを構築するための位相回転パターンを設計する前述の4つのケースの各々に関する最小PAPR結果の例を示している。図10Bから観察され得るように、回転パターンc = [c(1) c(2) c(3) c(4)] = [-1 1 1 1]またはc = [c(1) c(2) c(3) c(4)] = [1 1 1 -1]において、4.3480dBという最良のPAPR結果が達成され得る。
【０１０７】
図10A〜図10Bから観察され得るように、L-LTFシーケンスとL-STFシーケンスの両方において、同じ位相回転パターンc = [c(1) c(2) c(3) c(4)] = [-1 1 1 1]は、最良のPAPR結果をもたらし得る。さらに、位相回転パターンc = [1 j e d](すなわち、第3のケース)は、回転パターン[1 j -1 j]または[1 j 1 -j]を使用することによって、若干(すなわち、図10Aおよび図10Bに示すように0.2未満)劣るPAPRをもたらし得る。加えて、好ましいPAPR結果を達成すべく、図4に示すプリアンブル400のレガシー部402のL-SIGフィールド408またはVHT-SIG-Aフィールド410、412のうちの少なくとも1つにおけるトーンの位相を修正するために、L-STFまたはL-LTFのうちの少なくとも1つのトーンに対して適用される同じ位相回転パターン(たとえば、位相回転パターンc = [-1 1 1 1])を適用することも可能である。
【０１０８】
要約すると、本開示は、送信ノードにおいて好ましいPAPR結果をもたらす目的で、80MHzチャネルでの送信向けにVHT-LTFシーケンスを構築するための方法および装置を提供する。VHT-LTFシーケンスを、40MHz 802.11n LTF値、20MHz 802.11n LTF値または20MHz 802.11a LTF値のうちの少なくとも1つを利用して構築することができ、20MHzサブバンドにつき位相回転を適切に選択し、追加のサブキャリア値を適切に選択してPAPRを最小化する(または少なくとも低減する)ことができる。
【０１０９】
80MHzチャネル帯域幅向けVHT-LTFシーケンスを構築するための同じ前述の手法は、他の複数のサブキャリアにも使用できる。本開示の一態様では、IEEE 802.11acワイヤレス通信規格をサポートするために、帯域エッジにおける数個のトーンが消去され得る。別の態様では、DCの近くのトーンすべてを利用することができる。
【０１１０】
上記で説明した方法の様々な動作は、対応する機能を実行することができる任意の好適な手段によって実行され得る。手段は、限定はしないが、回路、特定用途向け集積回路(ASIC)、またはプロセッサを含む、様々なハードウェアおよび/またはソフトウェア構成要素および/またはモジュールを含むことができる。一般に、図に示される動作がある場合、これらの動作は、同様の番号を有する対応する対のミーンズプラスファンクション構成要素を有し得る。たとえば、図9に示される動作900は、図9Aに示される構成要素900Aに対応する。
【０１１１】
本明細書で使用する際、「決定すること」という用語は、様々なアクションを含む。たとえば、「決定すること」は、算出すること、計算すること、処理すること、導出すること、調査すること、検索すること(たとえば、テーブル、データベース、または別のデータ構造を検索すること)、確認することなどを含み得る。また、「決定すること」は、受信すること(たとえば、情報を受信すること)、アクセスすること(たとえば、メモリ内のデータにアクセスする)などを含み得る。また、「決定すること」は、解決すること、選択すること、選ぶこと、確立することなどを含み得る。
【０１１２】
本明細書で使用する、項目のリスト「のうちの少なくとも1つ」を指す句は、個々のメンバーを含む、それらの項目の任意の組合せを指す。一例として、「a、b、またはcのうちの少なくとも1つ」は、a、b、c、a〜b、a〜c、b〜c、およびa〜b〜cをカバーするものとする。
【０１１３】
上記で説明した方法の様々な動作は、たとえば様々なハードウェアおよび/またはソフトウェア構成要素、回路および/またはモジュールなど、動作を実行することができる任意の好適な手段によって実行することができる。一般に、図に示される任意の動作は、動作を実行することができる対応する機能手段によって実行することができる。
【０１１４】
たとえば、構築するための手段は、特定用途向け集積回路、たとえば、図2によるワイヤレスノード200のTXデータプロセッサ202、または図3による処理システム300のプロセッサ304を含むことができる。回転するための手段は、特定用途向け集積回路、たとえば、ワイヤレスノード200のTXデータプロセッサ202、または処理システム300のプロセッサ304を含むことができる。置き換えるための手段は、特定用途向け集積回路、たとえば、ワイヤレスノード200のTXデータプロセッサ202、または処理システム300のプロセッサ304を含むことができる。送信するための手段は、送信機、たとえばワイヤレスノード200のトランシーバ206を含むことができる。設計するための手段は、特定用途向け集積回路、たとえば、ワイヤレスノード200のTXデータプロセッサ202、または処理システム300のプロセッサ304を含むことができる。オーバーサンプリングを実行するための手段は、サンプリング回路、たとえばワイヤレスノード200のトランシーバ206を含むことができる。乗算するための手段は、特定用途向け集積回路、たとえば、ワイヤレスノード200のTXデータプロセッサ202、または処理システム300のプロセッサ304を含むことができる。利用するための手段は、特定用途向け集積回路、たとえば、ワイヤレスノード200のTXデータプロセッサ202、または処理システム300のプロセッサ304を含むことができる。修正するための手段は、特定用途向け集積回路、たとえば、ワイヤレスノード200のTXデータプロセッサ202、または処理システム300のプロセッサ304を含むことができる。
【０１１５】
本開示に関して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ信号(FPGA)または他のプログラマブル論理デバイス(PLD)、個別ゲートまたはトランジスタ論理、個別ハードウェア構成要素、あるいは本明細書で説明する機能を実行するように設計されたそれらの任意の組合せで実装または実行することができる。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。
【０１１６】
本開示に関して説明した方法またはアルゴリズムのステップは、直接ハードウェアで実施されるか、プロセッサによって実行されるソフトウェアモジュールで実施されるか、またはその2つの組合せで実施され得る。ソフトウェアモジュールは、当技術分野で知られている記憶媒体の任意の形態で存在し得る。使用され得る記憶媒体のいくつかの例には、ランダムアクセスメモリ(RAM)、読取り専用メモリ(ROM)、フラッシュメモリ、EPROMメモリ、EEPROMメモリ、レジスタ、ハードディスク、取外し可能ディスク、CD-ROMなどがあり得る。ソフトウェアモジュールは、単一の命令または多数の命令を含み得、いくつかの異なるコードセグメントを介して、異なるプログラム間に、および複数の記憶媒体にわたって配布され得る。記憶媒体は、プロセッサがその記憶媒体から情報を読取り、その記憶媒体に情報を書き込むことができるようにプロセッサに結合され得る。代替として、記憶媒体はプロセッサと一体であり得る。
【０１１７】
本明細書で開示する方法は、記載の方法を達成するための1つまたは複数のステップまたはアクションを含む。方法ステップおよび/またはアクションは、特許請求の範囲から逸脱することなく、互いを交換することができる。言い換えれば、ステップまたはアクションの特定の順序が指定されていない限り、特定のステップおよび/またはアクションの順序および/または使用は、特許請求の範囲から逸脱することなく修正することができる。
【０１１８】
説明した機能は、ハードウェア、ソフトウェア、ファームウェア、またはそれらの任意の組合せで実装することができる。ソフトウェアで実装する場合、機能は、コンピュータ可読媒体上の1つまたは複数の命令またはコードとして記憶または送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の使用可能な媒体とすることができる。限定ではなく例として、そのようなコンピュータ可読媒体は、RAM、ROM、EEPROM、CD-ROMまたは他の光ディスクストレージ、磁気ディスクストレージまたは他の磁気ストレージデバイス、あるいは命令またはデータ構造の形態の所望のプログラムコードを搬送または記憶するために使用でき、コンピュータによってアクセスできる、任意の他の媒体を含むことができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線(IR)、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用する場合、ディスク(disk)およびディスク(disc)は、コンパクトディスク(CD)、レーザディスク、光ディスク、デジタル多用途ディスク(DVD)、フレキシブルディスク、およびブルーレイ(登録商標)ディスクを含み、ディスク(disk)は、通常、磁気的にデータを再生し、ディスク(disc)は、レーザで光学的にデータを再生する。したがって、いくつかの態様では、コンピュータ可読媒体は、非一時コンピュータ可読媒体(たとえば、有形の媒体)を含み得る。さらに、他の態様では、コンピュータ可読媒体は、一時的コンピュータ可読媒体(たとえば、信号)を含み得る。上記の組合せもコンピュータ可読媒体の範囲内に含まれるものとする。
【０１１９】
したがって、いくつかの態様は、本明細書で提示する動作を実行するためのコンピュータプログラム製品を含むことができる。たとえば、そのようなコンピュータプログラム製品は、本明細書で説明する動作を実行するために1つまたは複数のプロセッサによって実行可能な命令を記憶(および/または符号化)するコンピュータ可読媒体を含み得る。いくつかの態様では、コンピュータプログラム製品は、パッケージング材料を含むことができる。
【０１２０】
ソフトウェアまたは命令は、伝送媒体を介して送信することもできる。たとえば、ソフトウェアが同軸ケーブル、光ファイバケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は伝送媒体の定義内に含まれる。
【０１２１】
さらに、本明細書で説明する方法および技法を実行するためのモジュールおよび/または他の適切な手段は、適用可能な場合、ユーザ端末および/または基地局によってダウンロードされ得、および/またはその他の方法で得られ得ることを諒解されたい。たとえば、そのようなデバイスは、本明細書で説明する方法を実施するための手段の転送を容易にするために、サーバに結合することができる。代わりに、本明細書で説明した様々な方法は、ユーザ端末および/または基地局が、記憶手段をデバイスに結合したすぐ後、または提供したすぐ後に、様々な方法を得ることができるように、記憶手段(たとえば、RAM、ROM、コンパクトディスク(CD)またはフレキシブルディスクなどの物理的記憶媒体など)を介して提供することができる。さらに、本明細書で説明する方法および技法をデバイスに提供するための任意の他の適切な技法が利用されてもよい。
【０１２２】
特許請求の範囲は、上記に示される正確な構成および構成要素に限定されないことを理解されたい。様々な修正、変更、および変形を、特許請求の範囲から逸脱することなく、上記で説明した方法および装置の構成、操作、および詳細において加えることができる。
【０１２３】
上記は本開示の態様を対象とするが、本開示のその他のさらなる態様は、本開示の基本的な範囲から逸脱することなく考案することができ、本開示の範囲は、以下の特許請求の範囲によって決定される。
【符号の説明】
【０１２４】
100  ワイヤレスネットワーク
110  ノード、アクセスポイント
120  ノード、アクセス端末
130  システムコントローラ
200  ワイヤレスノード
202  TXデータプロセッサ
204  OFDM変調器
205  TX空間プロセッサ
206  トランシーバ、送信機
208  アンテナ
210  RX空間プロセッサ
212  OFDM復調器
214  RXデータプロセッサ
300  処理システム
302  バス
304  プロセッサ
306  機械可読媒体
308  バスインターフェース
310  ネットワークアダプタ
312  ユーザインターフェース
400  プリアンブル
402  全レガシー部分
404  レガシーショートトレーニングフィールド(L-STF)
406  レガシーロングトレーニングフィールド(L-LTF)
408  レガシー信号(L-SIG)フィールド
410  OFDMシンボル、VHT-SIG-Aフィールド
412  OFDMシンボル、VHT-SIG-Aフィールド
414  プリコード802.11ac VHT部分
416  超高スループットショートトレーニングフィールド(VHT-STF)
418  超高スループットロングトレーニングフィールド1(VHT-LTF1)
420  超高スループットロングトレーニングフィールド(VHT-LTFs)、VHT-LTFシーケンス
422  VHT-SIG-Bフィールド
424  データパケット
600  ビットシーケンス、VHT-LTFパターン、2進数
700  シングルストリームパイロット値、シングルストリームパイロット、値のストリーム、シングルストリーム値
802  ビットパターン、提案されている80MHz VHT-LTFパターン
804  ビットパターン
806  ビットパターン
900  動作
900A  構成要素
【図１】
0005612194.tif 000006
【図２】
0005612194.tif 000007
【図３】
0005612194.tif 000008
【図４】
0005612194.tif 000009
【図５Ａ】
0005612194.tif 000010
【図５Ｂ】
0005612194.tif 000011
【図５Ｃ】
0005612194.tif 000012
【図５Ｄ】
0005612194.tif 000013
【図５Ｅ】
0005612194.tif 000014
【図５Ｆ】
0005612194.tif 000015
【図５Ｇ】
0005612194.tif 000016
【図５Ｈ】
0005612194.tif 000017
【図５Ｉ】
0005612194.tif 000018
【図５Ｊ】
0005612194.tif 000019
【図６】
0005612194.tif 000020
【図７Ａ】
0005612194.tif 000021
【図７Ｂ】
0005612194.tif 000022
【図７Ｃ】
0005612194.tif 000023
【図７Ｄ】
0005612194.tif 000024
【図７Ｅ】
0005612194.tif 000025
【図７Ｆ】
0005612194.tif 000026
【図７Ｇ】
0005612194.tif 000027
【図７Ｈ】
0005612194.tif 000028
【図７Ｉ】
0005612194.tif 000029
【図８Ａ】
0005612194.tif 000030
【図８Ｂ】
0005612194.tif 000031
【図８Ｃ】
0005612194.tif 000032
【図９】
0005612194.tif 000033
【図９Ａ】
0005612194.tif 000034
【図１０Ａ】
0005612194.tif 000035
【図１０Ｂ】
0005612194.tif 000036